(57)【要約】      （修正有）【課題】ＰＤ線をＰＤ治療やＰＤ照明やＰＤフィルターやＰＤセルフ製造法やＰＤ水耕栽培やＰＤバックライトやＰＤ信号機などへの応用可能な構造を提供する。【解決手段】ＰＤＯＣＪ方式あるいはＰＤ接合において、独自独創して創出したＰＤ方式におけるＰＤ線７の構造を用いて、胃などの内臓内部壁１６０に出来たポリープ１６５などの患部に対する、焼灼ならびに殺菌ならびに除菌あるいは温熱刺激あるいは細胞の活性化などを行う治療手段のほか、ＰＤ治療やＰＤ照明やＰＤ玩具などに用いた。【選択図】図１
2020000314.tif 000002
【特許請求の範囲】
【請求項１】
ＰＤ治療は、端子側先端と開放端先端の両先端部と伝送部を有する１本のＰＤ線とＰＤ線に入光された光線をＰＤ線外部に漏出あるいは放散ならびに放出させ、当該の漏出あるいは放散ならびに放出された光線が、ＰＤ線開放端先端ならびに開放端先端近傍の周囲の患部内部および外部に照射して、ポリープや水虫や血液や歯周病や発毛や血流改善などの患部を焼灼ならびに殺菌ならびに除菌あるいは温熱刺激あるいは細胞の活性化などを行うＰＤ治療の構造。（第一特徴）
【請求項２】
ＰＤ治療は、ポリープや水虫や歯周病などの患部には、ＰＤ線を細胞内部に刺し入れることでポリープの内部および血管を流れる血流内部（血液の殺菌ならびに除菌）および皮下細胞の内部（歯肉の内部やツボや毛根や水虫の菌の根元など）で光線を照射させて焼灼ならびに殺菌ならびに除菌ならびに温熱刺激ならびに細胞の活性化をする治療の構造であり請求項１に記載のＰＤ治療の構造。（第二特徴）
【請求項３】
ＰＤ治療機器は、少なくとも各光線の発生源である光源部と光源の調光制御部と入光部と伝送ファイバーと伝送ファイバーのコネクターとＰＤ端子とＰＤ伝送部（全反射を繰り返し伝送のみ行う部位）とＰＤ線とガイド針（患部により使用）により全体が構成される構造であり、当該機器を使用して行うＰＤ治療の構造であり、請求項１より２のいずれかに記載のＰＤ治療の構造。  （第七特徴）
【請求項４】
１本のＰＤ線の開放端先端および開放端先端近傍は、ポリープや細胞や歯肉や皮膚や血管などに突き刺さりやすく尖った形状あるいは球面状であったり平面状の形状をして、当該先端よりＰＤ線に入光した光線を放散あるいは放出する構造であり請求項１より請求項３のいずれかに記載のＰＤ治療の構造。  （第九特徴）  
【請求項５】
ＰＤ線の開放端先端が皮膚や細胞の表面が堅く突き刺さることが困難な場合に、針放散孔を複数配備する金属製（レーザー光線は除く。）のガイド針にＰＤ線の開放端先端ならびに開放端先端近傍を格納して当該先端が折れることを回避する構造であり、請求項１より４のいずれかに記載のＰＤ治療の構造。  （第十特徴）
【請求項６】
ＰＤ治療において焼灼に使用する光線は、波長１０６４ｎｍのＮｄ：ＹＡＧレーザー光線や１０７０ｎｍのＹｂ：ファイバーレーザーなどのレーザー光線ならびに、紫外線Ａおよび紫外線Ｂおよび紫外線Ｃならびに赤外線ならびに近赤外線域ならびに遠赤外線などの色々な波長域を有する光線を使用する構造であり、請求項１より５のいずれかに記載のＰＤ治療の構造。（第十七特徴）
【請求項７】
ＰＤ治療に使用するＰＤ線の材質は、長距離ならびに伝送損失に厳しいデーター通信用の光ファイバーと異なり、光源よりコネクターまでの距離は除きＰＤ端子より開放端先端迄の距離は口より腸をを通過して出口までの距離があれば良く、さらに伝送損失もさほど厳しくないので、合成樹脂製のプラスチック製や石英ガラス（レーザーならびに紫外線波長２００ｎｍ以上）ならびに紫外線波長１５０ｎｍ以上では、フッ化カルシウムおよびフッ化マグネシウムやＢＫ７（レーザー）などを使用する構造であり、請求項１より６のいずれかに記載のＰＤ治療の構造  （第十八特徴）
【請求項８】
ＰＤ照明に使用する端子側先端と開放端先端の両先端部を有する１本のＰＤ線は、内部を全反射を繰り返してＰＤ線内部を伝送するＰＤ伝送部（伝送部自体も照明の光源となる。）とＰＤ線の中心方向に凹みや目荒しを施して、全反射して伝送されてきた光線の一部を乱反射を起こしてＰＤ線外に漏出させ、漏出した光線を放散させて、伝送部より光量の多いＰＤ放散部により構成されているＰＤ線の構造、ならびに、ＰＤ伝送部ならびにＰＤ放散部は複数箇所配備されて、ＰＤ線の至る所に光量の多い部位を複数設けて、面白さや綺麗さを強調させる構造を兼ね合わせて良いＰＤ線構造。  （第十九特徴）
【請求項９】
ＰＤ照明は、少なくとも各光線の発生源である光源部と光源の調光制御部と入光部と伝送ファイバーと伝送ファイバーのコネクターとＰＤ端子とＰＤ線により全体が構成されるＰＤ照明の構造であり、請求項８に記載のＰＤ照明の構造。  （第二十特徴）
【請求項１０】
ＰＤ線に入光される光線は、可視光線であり、細胞などを焼灼や有害な副作用を起こさない光線であって、赤外線域や紫外線域の波長を除いた光線であるＰＤ照明の構造とＰＤ治療に用いる照明以外では、可視光線やその他の一般空間にある光線を用いるＰＤ照明の構造であり、請求項８より９のいずれかに記載のＰＤ照明の構造。（第二十七特徴）
【請求項１１】
ＰＤ照明に使用するＰＤ線の材質は、石英ガラスやＢＫ７などのガラス製である。また、赤外線域や紫外線域の波長域の光線を一時的に混ぜる場合を除く場合には、無色透明な低密度ポリエチレンなどの合成樹脂製やシリコン樹脂製やアクリル樹脂製であるＰＤ照明の構造であり、請求項８１より１０のいずれかに記載のＰＤ照明の構造。  （第三十二特徴）        
【請求項１２】
ＰＤ線の口径は１００ミクロンから５００ミクロンと細いので、従来の発光ＬＥＤより小型で、例えば透明無色あるいは透明有色な合成樹脂製のシートの中に複数本のＰＤ線を配備し、シート状に並べてシート状の照明器材となる構造であり、請求項８より１１のいずれかに記載のＰＤ照明の構造。  （第四十二特徴）
【請求項１３】
ＰＤ線を格子状に配備したフィルターを通過する空気や水や薬液などは、ＰＤ線外へ漏出する光線（紫外線）の照射により除菌ならびに殺菌されるＰＤ除菌殺菌の構造であるＰＤフィルターの構造。  （第四十九特徴）
【請求項１４】
ＰＤフィルター枠の材質をガラス製とし、ＰＤ線の材質も同様にして、耐薬品性を有することによって、液状あるいは気体状の薬品や試薬類の除菌殺菌が出来るＰＤフィルターの構造、ならびに当該ＰＤフィルターにより化学構造に刺激や反応の促進をもって、薬品や試薬や新薬の開発や発見（変異）に供与出来る可能性を秘めたＰＤ化学反応の構造に用いるＰＤフィルターの構造、ならびに、に特徴を有する形態をしている。  ＰＤフィルター枠の材質をガラス製とし、ＰＤ線の材質も同様にして、耐薬品性を有することによって、液状あるいは気体状の薬品や試薬類の除菌殺菌が出来るＰＤフィルターの構造、ならびに当該ＰＤフィルターにより化学構造に刺激や反応の促進をもって、薬品や試薬や新薬の開発や発見（変異）に供与出来る可能性を秘めたＰＤ化学反応の構造に利用出来るＰＤフィルターの構造（第五十特徴）、ならびにガラス製のＰＤフィルターは、ガラスの融点付近までの使用温度範囲を有し、高温を有するＰＤ化学反応の促進や発見に供与出来る構造（第五十一特徴）、ならびにレーザー光線に対応でき、フィルターを通過する試薬や薬品をガラス融点付近までの超高温状態にできて薬品や試薬に変異を起こさせて新たな発見やＰＤ化学反応を促進させる構造に利用出来るＰＤフィルターの構造であり、請求項１３に記載のＰＤフィルターの構造。（第五十二特徴）
【請求項１５】
下枠と上枠とＰＤ線を個別に製造し組み立てた後の固着する手段は、組み立てられたアルミ製および合成樹脂製の上下枠に挟み込まれた縦横のＰＤ線にレーザー光線を入光させるＰＤ溶接およびＰＤ接合により上下枠を溶融固着させるとともにＰＤ線自身も同時に固定されるＰＤセルフ製造法により製造されるＰＤフィルターの構造であり、請求項１３より１４のいずれかに記載のＰＤフィルターの構造。  （第五十六特徴）（第五十七特徴）  
【請求項１６】
ＰＤフィルターの応用例として、当該のＰＤフィルターの枠の形状をリング状（不図示）として、３個並べて、それぞれに、赤色光および緑色光（青色光でも可）および黄色光を入光させて信号機とする。また、図のような矩形であっても良く歩行者用信号機とする。このような信号機として使用可能なＰＤフィルターの構造であり、請求項１３より１５のいずれかに記載のＰＤフィルターの構造。  （第五十九特徴）
【請求項１７】
下枠と上枠とＰＤ線を個別に製造し組み立てた後の固着する手段は、組み立てられたアルミ製および合成樹脂製の上下枠に挟み込まれた縦横のＰＤ線にレーザー光線を入光させるＰＤ溶接ならびにＰＤ接合により上下枠を溶融固着させるとともにＰＤ線自身も同時に固定されるＰＤセルフ製造法の構造。  （第五十六特徴）  （第五十七特徴）
【請求項１８】
ＰＤ水耕栽培は、ＰＤ線やＰＤシートを照明源とする構造（第六十特徴）、ならびにＰＤ水耕栽培室の内壁面や天井や床の室内壁外表面にＰＤシートを配備して、栽培室内の栽培光が野菜の全方位より照射する構造（第六十一特徴）、ならびにＰＤ水耕栽培の光源は、可視光線の波長域であって、光合成を促す赤色光および葉や実を育てる青色光を発光するＬＥＤや同等の発光手段である。当該の赤色光と青色光をＰＤ線に入光させて、全反射を繰り返して線内を伝達される間に、凹みなどにより乱反射を起こして、ＰＤ線外に一部が漏出され、漏出された赤色光と青色光を栽培野菜などに照射して光合成を促して育成する構造（第六十三特徴）、ならびに照明源となるＬＥＤは、少なくとも波長が６６０ｎｍの赤色ならびに波長が４４０ｎｍの青色を発光するＬＥＤであるＰＤ水耕栽培の構造。また、前述以外の波長域の光線を含んでも良い。（第六十四特徴）
【請求項１９】
ＰＤバックライトは、ＰＤ端子とＰＤ線とバックライト枠と表層と底板を少なくとも各々１つ以上配備され、各部位により構成される構造であるＰＤバックライトの構造。（第六十七特徴）
【請求項２０】
照明源とするＰＤ線だけでは表層の全面において単位面積当たりの光量にバラツキがありすぎる場合に、さらに、ＰＤ線周囲の空隙に不特定形状の充填材を詰めバックライト内部でＰＤ線より漏出した光線を乱反射させて、乱反射した光線はあらゆる方向で表層の表面より放散され、ＰＤバックライト表面全面が略均一の光線量なる構造である請求項１９に記載のＰＤバックライトの構造。なお、単位面積当たりの光量が良好であれば、充填材を充填してもしなくてもよい。（第六十八特徴）
【請求項２１】
なお、充填材は、石英ガラスやＢＫ７などのガラス製や可視光線の透過性の良い合成樹脂製ならびにその他材質製であり、不特定な形状であるので、通信用などのファイバー屑を破砕し洗浄した材料や可視光線の透過性の良い材料なら何でも可能であり同様に破砕洗浄された材料なら良い構造である請求項１９より２０のいずれかに記載のＰＤバックライトの構造。  （第六十九特徴）  
【請求項２２】
バックライト枠の内面ならびに底板のＰＤ線側側表面には鏡面処理を施して、ＰＤ線より漏出した光線で底板方向に向いた光線を表層方向に全て反射して漏出した光線を全て照明源とする構造である請求項１９より２１のいずれかに記載のＰＤバックライトの構造。（第七十特徴）（第七十一特徴）
【請求項２３】
バックライト枠は、金属製や合成樹脂製などであり、準備された幅の小さな板を折り曲げて製造される金属製では、準備された板の両端は、ＰＤ端子を挟み込み固定するようにＰＤ端子付近で接する構造と合成樹脂製では金型により一体成型された枠はＰＤ端子のところでＰＤ端子を組み込むために押し広げれる構造であり、請求項１９より２２のいずれかに記載のＰＤバックライトの構造。（第七十二特徴）
【請求項２４】
当該ＰＤバックライトを搭載する製品群には、有機ＥＬや液晶のディスプレイなどのテレビやスマホや腕時計や掛け時計や看板類や玩具や車載メーターや車載用品や車載電飾や信号機や案内板や交通標識や道路標識などに応用出来る構造であり（第七十五特徴）、
さらに、そのまま照明器具として用いて、懐中電灯およびランタンなどの照明器具や観賞魚水槽照明や水族館水槽照明などのバックライトならびにＰＤバックライトを照明源とできる日常生活品および工業製品ならびにストップランプやウインカーやバックランプ類の車載ランプ類に搭載出来る構造であり、請求項１９より２３のいずれかに記載のＰＤバックライトの構造。（第七十六特徴）
【請求項２５】
ＰＤ信号機は、ＰＤ接合とＰＤ溶接とＰＤバックライトとＰＤ照明とＰＤフィルターを応用した信号機であり、一対のＰＤ端子と端子間を接続する１本のＰＤ線を信号機の照明光源とし、それぞれの端子間に接続される２本や３本などの複数本数のＰＤ線を２段や３段などの複数段に重ねても良く、また、１つの端子に繋がる１本のＰＤ線を複数本使用しても良く、信号機の総光量を増やせてより視認し易い信号機ならびに複数本数のＰＤ線を配備出来るので、新たな信号機の提案もし易い構造であり（第七十八特徴）、さらに、当該ＰＤ信号機のＰＤ線に入光される光線は可視光線であります。色は従来の車両規制信号機同様に赤色ならびに緑色（青色）ならびに黄色の３色を基本とします。歩行者用においても同様であります。しかしながら、よりカラフルに認識し易い色が、信号機の法的仕様に認可されれば調光制御により容易に対処可能な構造であり（第七十九特徴）、また、枠の材質は、アルミ製や合成樹脂製や耐候性に優れたガラス製などであり、ＰＤ線は、石英ガラスやＢＫ７や透明な低密度ポリエチレンなどの合成樹脂製などである構造であり（第八十特徴）、
また、合成樹脂製の枠固定ならびにＰＤ線の固定は、枠とＰＤ線を組み立てると同時に接着材などで固定する方法と枠内に埋め込まれるＰＤ線の部位に針状の凹みなどを施し、ＰＤ線に一時的にレーザー光線やハロゲン光線を入光させるＰＤ接合により枠同士を融着固定すると同時にＰＤ線も固定されるＰＤセルフ製造法で製造される構造であり（第八十一特徴）、さらに、枠の材質がアルミの時には、枠とＰＤ線を組み立てた後に、枠内に埋め込まれるＰＤ線の部位に針状の凹みなどを施したＰＤ線にレーザー光線を入光させて、アルミ製の枠を溶接するＰＤ溶接により枠を固定すると同時に、ＰＤ線も同時に固定されるＰＤセルフ製造法で製造される構造であり、請求項１９より２４のいずれかに記載のＰＤ信号機の構造。（第八十二特徴）
【請求項２６】
連珠ＰＤ線（同日の別出願）を本発明および特許文献１より８に対応させて、従来のＰＤ線の代用として本発明の内容ならびに本シリーズ全てに記載の内容に当該連珠ＰＤ線を適応させ、新規な内容とします。従来のＰＤ線と連珠ＰＤ線は、光線の漏出手段が異なるのみでそのまま代用出来る物です。さらに、本シリーズに記載の各製品群にも全て対応させます。
【発明の詳細な説明】
【技術分野】
【０００１】
本発明は、ＰＤ線に入光した光線の一部をＰＤ線外に漏出させ、漏出光線を治療にあてるＰＤ治療に関する。
【０００２】
特許文献１より特許文献８における針状凹みあるいは目荒しのあるＰＤ線と類似の漏出し易い形状のＰＤ線に関する。
【０００３】
また、ＰＤ線に入光した光線の一部をＰＤ線外に漏出させ、漏出光線を照明の光源として用いるＰＤ照明の構造に関する。
【０００４】
また、ＰＤ線に入光した光線の一部をＰＤ線外に漏出させ、漏出光線を照明の光源として利用した玩具や道具や看板や装飾などに関する。
【０００５】
また、ＰＤ治療の一部として、ＰＤ線に入光した光線の一部をＰＤ線外に漏出させ、漏出光線を殺菌ならびに除菌の光源として用いるＰＤ殺菌除菌の構造に関する。
【０００６】
さらに、薬品の化学反応の進行の促進や進歩的な開発や発見に寄与するＰＤ化学反応の構造に関する。
【０００７】
また、ＰＤ線を使用し、紫外線による小型ＰＤ除菌エアーフィルターおよび水フィルターならびに大型ＰＤ除菌エアーフィルターおよび水道水除菌フィルターに関する。
【０００８】
さらに、ＰＤ線を使用した液晶バックライトおよび有機ＥＬバックライトならびに各種各分野のバックライトに関する。
【０００９】
さらに、ＰＤバックライトにおいてＰＤ線間の空隙に乱反射誘発材とミーラー加工の底板と表層において、裏側あるいは表側凹みによる乱反射の構造ならびにＰＤバックライトの構造に関する。
【００１０】
さらに、ＰＤバックライトの構造的な原理に関する。
【００１１】
さらに、ＰＤセルフ製造法に関する。
【００１２】
さらに、ＰＤ信号機ならびにＰＤセルフ製造法により製造されるＰＤ信号機ならびにＰＤ溶接により製造されるＰＤ信号機に関する。
【００１３】
なお、
ＰＤ信号機あるいはＰＤセルフ製造法あるいはＰＤバックライトあるいはＰＤ除菌フィルターあるいはＰＤ溶接あるいはＰＤ接合あるいはＰＤＯＣＪ方式あるいはＰＤ継手あるいはＰＤ部品あるいはスポットＰＤ接合やＰＤ映像やＰＤ治療やＰＤ映像やＰＤ照明やＰＤ線やＰＤ端子やＰＤ玩具やＰＤ道具やＰＤ殺菌除菌やＰＤシートやＰＤ化学反応などに使用するＰＤの２文字は、  Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ   より命名した。  代表的な名称の由来です（非特許文献１を参照ください）。
【００１４】
また、特許文献８  特願２０１８ー０８７９３０  において、出願予定としたＰＤ治療に関する。
【００１５】
ＰＤ線に入光させる光線は、レーザー光線では、波長１０６４ｎｍのＮｄ：ＹＡＧレーザー光線や１０７０ｎｍのＹｂ：ファイバーレーザーなどである。ならびに、殺菌作用の強い紫外線（有害な波長域と無害な波長域の２種）ならびに赤外線を光線とする。当該の光線が、ＰＤ治療に用いられて焼灼治療や殺菌ならびに除菌する治療の構造に関する。また、可視光線はＰＤ照明に用いる。
【００１６】
また、ＰＤ照明には可視光線であって、赤外線や紫外線を除く。ただし、特異な場合で、ＰＤ治療を同時に行う場合には赤外線や紫外線などを同時に併用することがあります。
【００１７】
本発明者は、医療に関する知識ならびに医療に関する技術習得をしておりません。従いまして、医療的な知識を加味しない場合には人体的な問題を起こす可能性も充分にあります。単なる治療する機器の提案程度に理解されて、人体的な知識のある当業者の皆様による修正を加え、さらに、医学的な点の加味も宜しくお願い致します。お役に立つのかどうかも推測がつきません。医療に使えそうなこんな装置もあるのです、程度に軽く読んで戴ければ幸いです。役に立ちそうな場合に、こんな点の改良が必要などありましたら加味させていきますのでお気軽に連絡を戴ければ幸いに存じます。
【００１８】
従いまして、例えば、我が身で体験している点や悪玉を死滅させるとともに善玉も死滅させる状況も考えられますが、善玉のみになれば自然治癒も順調に回復するものと仮定致します。また、粘膜などの焼灼を行うので、正常な組織まで焼灼することが必須となりますが、善玉と同様に悪玉が殆どなくなり、善玉が殆どの正常になれば回復する治癒力も増すことを願います。さらに、医師などの医療関係者の投薬や治療を合わせてお願い致します。
【背景技術】
【００１９】
従来の治療ならびに治療機器を詳細に調査を行うべきところが本来でありますが、医学は機械と違い生命に直結するもので、生半可な知識では追いつきません。したがって、調査も教育も無い状態の無謀な創造を行います。ただ、病魔に苦しめられている一人でも救える可能性があって欲しいと願っております。健やかになられて、曽孫玄孫と一緒に豆大福やいちご大福でも食されて幸せになってください。
【００２０】
従来の内視鏡などの照明にはＬＥＤが使われている。しかしながら、細かな小さなＬＥＤは少ない。また、玩具や道具などにはＬＥＤを散りばめて光を発している。さらに、クリスマスやアミューズメントパークなどでは、夜間の装飾には木々や建物の壁面や門扉や塀などにＬＥＤを飾り付けて夜間の装飾を楽しんでいる。また、規模が大きくなれば何万個あるいは何十万個のＬＥＤが使われている。
【００２１】
また、ＰＤ接合やスポットＰＤ接合や凹みあるいは目荒しののあるＰＤ線のように、全反射を繰り返し線内を伝送される光線の一部を線外に漏出させる手段は、従来技術に殆ど見かけることはない。
【先行技術文献】
【特許文献】
【００２２】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特開平８−３０６４６２
【特許文献１０】特開平９−２９８２６１
【特許文献１１】特開平１０−５６１１６
【特許文献１２】特開平８−２９８３０４
【非特許文献】
【００２３】
【非特許文献１】商標登録第４１８５４２６号    当該出願時点において
【発明の概要】
【発明が解決しようとする課題】
【００２４】
現在においても、近未来においても、一人でも多くの方が、病魔に打ち勝ち健やかな人生を歩んで戴くことを課題とします。
【００２５】
さらに、病魔に打ち勝ちための、治療方法と治療機器を、医療関係でない技術屋として各種手段の提案を課題とする。
【００２６】
背景技術に記述ある様なＰＤ線内を全反射を繰り返して伝送してくる光線の一部を線外に漏出させる手段は、中心方向に凹みを施して乱反射を誘因して、光線の一部を線外に漏出させて照明源や治療光線や接合や溶接を行う新たな手段の提案を課題とする。
【００２７】
ＬＥＤに変わる小型の照明が求められている。また、道具や玩具に使用できる小型の照明器具が求められている現状の問題解決を課題とする。とともに、応用例の提案を課題とする。
【００２８】
さらに、大規模電飾に使用出来る小型の照明装置が望まれており、歌手の大型の舞台衣装や木々の電飾やその他に気軽に使用出来る照明が求められている現状の問題を解決する手段の提案を課題とする。とともに、応用例の提案を課題とする。
【００２９】
さらに、殺菌や除菌に使用出来る新たな装置が望まれており、その提案を課題とする。とともに、応用例の提案を課題とする。
【００３０】
さらに、各種の新たな照明手段の提案を課題とする。とともに、応用例の提案を課題とする。とともに、応用例の提案を課題とする。
【００３１】
また、ＰＤ線をＰＤ治療やＰＤ照明やＰＤフィルターやＰＤセルフ製造法やＰＤ遂行栽培やＰＤバックライトやＰＤ信号機などの各種構造への応用の各種構造ならびにを創出、および新たな製造法のＰＤセルフ製造法の創出も課題である。
【課題を解決するための手段】
【００３２】
ＰＤＯＣＪ方式あるいはＰＤ接合において、独自独創して創出したＰＤ方式におけるＰＤ線の構造を手段として、ＰＤ治療やＰＤ照明やＰＤ玩具などの新しい提案を行い各課題を解決する手段とする。
【００３３】
新たな漏出し易い形状のＰＤ線の発明により漏出する光線を新たに誘因させる手段を講じた連珠状ＰＤ線を課題解決の手段とする。
【００３４】
特に、ＰＤ治療は、ＣＴやスキャン装置などを併用してＰＤ線の開放端位置を明確に把握して治療にあたることは必須であり、当該のＣＴ装置やスキャン装置の併用も一手段となります。さらに、各種光線の調光制御回路も一手段であり、回路結線にラップワイヤーを用いる場合にはラップワイヤーも一手段となります。
【００３５】
さらに、光源となるレーザー装置や紫外線発生装置なども１つの手段となります。
【発明の効果】
【００３６】
新たな治療法ならびに治療機器へと発展する可能性が僅かでもあって、病魔に苦しむたった一人でも救える技術となってほしいものです。
【００３７】
漏出し易い形状の連珠状ＰＤ線の発明により、ＰＤ接合やＰＤ治療やＰＤ溶接やＰＤ照明や除菌殺菌などの数多くの分野に、新たな各種提案となり数え切れない製品群やＰＤ化学反応における変異的な新薬の発見する新たな手段などを産み出せる。
【００３８】
ＰＤ線の応用範囲が照明や玩具や道具や看板や殺菌ならびに除菌の他分野に分岐して、新たな産業を創出した。とともに、余暇の楽しみが増え、家族のコミュニケーション手段となった。
【図面の簡単な説明】
【００３９】
【図１】ポリープ等の内部焼灼および外部焼灼図
【図２】ＰＤ線治療（断面表示）
【図３】皮下組織ならびに水虫菌などの殺菌ならびに除菌
【図４】歯肉などの殺菌ならびに除菌
【図５】血液の殺菌ならびに除菌
【図６】ＰＤ治療機器の構想図（カテーテル）
【図７】ＰＤ治療機器のＡ断面図
【図８】ＰＤ治療機器のＢ断面図
【図９】ＰＤ治療およびＰＤ照明全体図（断面表示）ならびにＰＤ線治療（断面表示）
【図１０】ＰＤ線照明（断面表示）
【図１１】ＰＤ線お楽しみ（断面表示）
【図１２】各正面図および側面図（ハ）伝送ファイバーおよび伝送ファイバーコネクター概略図（ニ）ＰＤ線治療（ホ）ＰＤ線照明
【図１３】ガイドとなる注射針の正面図および平面図および側面図
【図１４】ガイドとなる注射針のＦ−Ｆ断面図(イ）およびＧ−Ｇ断面図(ロ）
【図１５】ＰＤシート照明正面図および平面図および側面図（ヘ）およびジグザグ配置例の正面図（ト）
【図１６】少女戦士銀河ステッキ全体図（チ）およびＰＤシート配置図（リ）およびＰＤ線照明配置図（ヌ）
【図１７】ビニール傘
【図１８】ランドセルのカブセＰＤ装飾（ワ）およびランドセル用のＰＤシートの構造図（カ）
【図１９】小型ＰＤ除菌フィルター正面図および平面図（ツ）ならびに断面図（ネ）
【図２０】大型ＰＤ除菌フィルター正面図および平面図（ア）ならびに断面図（ウ）
【図２１】ＰＤシート照明による水耕栽培の正面図および平面図
【図２２】水耕栽培断面図（エ）および断面図（オ）ならびに栽培室内照明（カ）
【図２３】水耕栽培室および栽培槽の全体照明
【図２４】有機ＥＬ用ＰＤバックライト正面図および平面図（キ）ならびに断面図（ク）
【図２５】ＰＤバックライト断面図（コ）および断面（サ）および断面（シ）
【図２６】ＰＤ信号機（矩形）正面図および平面図および側面図（ス）ならびＴ−Ｔ断面図（セ）
【発明を実施するための形態】
【００４０】
本発明のＰＤ治療代表特徴について
ＰＤ治療は、端子側先端と開放端先端の両先端部と伝送部を有する１本のＰＤ線とＰＤ線に入光された光線をＰＤ線外部に漏出あるいは放散ならびに放出させ、当該の漏出あるいは放散ならびに放出された光線が、ＰＤ線開放端先端ならびに開放端先端近傍の周囲の患部内部および外部に照射して、ポリープや水虫や血液や歯周病や発毛や血流改善などの患部を焼灼ならびに殺菌ならびに除菌あるいは温熱刺激あるいは細胞の活性化などを行う治療の特徴を有する形態をしている。（第一特徴）
【００４１】
ここで、
当該治療は、ポリープや水虫や歯周病などの患部には、ＰＤ線を細胞内部に刺し入れることでポリープの内部および血管を流れる血流内部（血液の殺菌ならびに除菌）および皮下細胞の内部（歯肉の内部やツボや毛根や水虫の菌の根元など）で光線を照射させて焼灼ならびに殺菌ならびに除菌ならびに温熱刺激ならびに細胞の活性化をする治療の特徴を有する形態をしている。（第二特徴）
【００４２】
さらに、
ポリープや水虫や胃などの内臓や毛穴などの皮膚や粘膜などでは外部より照射させて焼灼ならびに殺菌ならびに除菌ならびに温熱刺激する治療の特徴を有する形態をしている。（第三特徴）
【００４３】
さらに、
歯肉炎などの菌を殺菌ならびに除菌する場合には、歯肉の内部であったり、歯と歯肉の境目にＰＤ線を刺し込んで内部を直接殺菌ならびに除菌をする治療の特徴を有する形態となっている。（第四特徴）
【００４４】
以上のように、
光線を照射する手段は、患部ならびに細胞に対して、外部より細胞表面に照射する方式を１つの手段とする特徴を有する形態をしている。（第五特徴）
【００４５】
さらに、
光線を照射する手段は、患部ならびに細胞に対して、患部および細胞の内部より直接照射する方式を１つの手段とする特徴を有する形態をしている。（第六特徴）
【００４６】
また、ＰＤ治療機器は、少なくとも各光線の発生源である光源部と光源の調光制御部と入光部と伝送ファイバーと伝送ファイバーのコネクターとＰＤ端子とＰＤ伝送部（全反射を繰り返し伝送のみ行う部位）とＰＤ線とガイド針（患部により使用）により全体が構成される構造の特徴を有する形態をしている。（第七特徴）
【００４７】
また、１本のＰＤ線の端子側先端は、球面研磨や平面研磨などを行い、当該研磨に適合する加工を施した伝送ファイバー先端に配備されているコネクターとＰＤ端子により半固定接続されて、各先端同士の研磨を接触させて光源より伝送されてきた光線がＰＤ線に伝達あるいは入光される構造の特徴を有する形態をしている。（第八特徴）
【００４８】
また、１本のＰＤ線の開放端先端および開放端先端近傍は、ポリープや細胞や歯肉や皮膚や血管などに突き刺さりやすく尖った形状あるいは球面状であったり平面状の形状をして、当該先端よりＰＤ線に入光した光線を放散あるいは放出する構造の特徴を有する形態をしている。（第九特徴）
【００４９】
また、ＰＤ線の開放端先端が皮膚や細胞の表面が堅く突き刺さることが困難な場合に、針放散孔を複数配備する金属製（レーザー光線は除く。）のガイド針にＰＤ線の開放端先端ならびに開放端先端近傍を格納して当該先端が折れることを回避する構造の特徴を有する形態をしている。（第十特徴）
【００５０】
さらに、
当該の針放散孔を複数配備する金属製のガイド針は、インスリン注射に使用されている微細な注射針（例えば３４Ｇや３３Ｇなどより太めの針で可）をガイドとして、薬液の代わりに当該針の内部にＰＤ線を格納する構造の特徴を有する形態をしている。（第十一特徴）
【００５１】
さらに、
当該の針放散孔を複数配備する金属製のガイド針は、内部に格納したＰＤ線より漏出した紫外線などをガイドの外周囲に直接放散あるいは回折を利用した放散をするための複数の孔や長円状の孔などの針放散孔を複数配備する構造の特徴を有する形態をしている。（第十二特徴）
【００５２】
また、ＰＤ線の開放端先端が皮膚や細胞の表面が堅く突き刺さることが困難な場合に、針放散孔を複数配備しても可、また、配備しなくても可であり、ガラス製（レーザー光線を含む。）のガイド針にＰＤ線の開放端先端ならびに開放端先端近傍を格納して当該先端が折れることを回避する構造の特徴を有する形態をしている。ただし紫外線域の光線の中には石英ガラスが透過しない波長域があるので参考まで。（第十三特徴）
【００５３】
また、１本のＰＤ線の開放端先端近傍には、ＰＤ線の外表面より中心部に向う針状などの凹みや目荒しなどを施し、端子側先端より入光され全反射を繰り返してＰＤ線内を伝送してきた光線が凹みなどで一部乱反射を起こして、ＰＤ線の外部に光線の一部を漏出あるいは放散ならびに先端より放出される構造の特徴を有する形態をしている。（第十四特徴）
【００５４】
また、
ガイド針に格納されたときには、ＰＤ線の外部に漏出した光線は、複数の針放散孔よりガイド針の周囲に放散され、また、先端より放出される構造の特徴を有する形態をしている。（第十五特徴）
【００５５】
また、ＰＤ治療において使用される光線は、殺菌ならびに除菌ならびに温熱刺激などでは、紫外線Ａおよび紫外線Ｂおよび紫外線Ｃおよび状況により紫外線Ｖならびに赤外線ならびに近赤外線域ならびに遠赤外線などの色々な波長域を有する光線を使用する構造の特徴を有する形態をしている。なお、紫外線においては、人体に有害な波長域と人体に無害な波長域の両方の波長域を使用する構造の特徴を有する形態をしている。ただし、副作用などを誘因する有害な波長域を使用するのは、”毒は毒を持って征す。”の例えのように、僅かな時間の延命に使用する。（第十六特徴）
【００５６】
また、ＰＤ治療において焼灼に使用する光線は、波長１０６４ｎｍのＮｄ：ＹＡＧレーザー光線や１０７０ｎｍのＹｂ：ファイバーレーザーなどのレーザー光線ならびに、紫外線Ａおよび紫外線Ｂおよび紫外線Ｃならびに赤外線ならびに近赤外線域ならびに遠赤外線などの色々な波長域を有する光線を使用する構造の特徴を有する形態をしている。また、これらの光線以外にも、治療に最も最良である光線でも支障はない。（第十七特徴）
【００５７】
また、ＰＤ治療に使用するＰＤ線の材質は、長距離ならびに伝送損失に厳しいデーター通信用の光ファイバーと異なり、光源よりコネクターまでの距離は除きＰＤ端子より開放端先端迄の距離は口より腸をを通過して出口までの距離があれば良く、さらに伝送損失もさほど厳しくないので、合成樹脂製のプラスチック製や石英ガラス（レーザーならびに紫外線波長２００ｎｍ以上）ならびに紫外線波長１５０ｎｍ以上では、フッ化カルシウムおよびフッ化マグネシウムやＢＫ７（レーザー）など折れにくく、先端を尖った形状に出来る物であれば何でも可能です。ここでの注意点は、ガイド針とＰＤ端子とＰＤ線は”一度きりの使い切り”が必須条件です。さらに、治療の回数も繰り返されるので、出来るだけ安価であることが必須です。（第十八特徴）
【００５８】
つぎに、本発明のＰＤ照明の代表的な特徴について、
ＰＤ照明に使用する端子側先端と開放端先端の両先端部を有する１本のＰＤ線は、内部を全反射を繰り返してＰＤ線内部を伝送するＰＤ伝送部（伝送部自体も照明の光源となる。）とＰＤ線の中心方向に凹みや目荒しを施して、全反射して伝送されてきた光線の一部を乱反射を起こしてＰＤ線外に漏出させ、漏出した光線を放散させて、伝送部より光量の多いＰＤ放散部により構成されているＰＤ線の構造、ならびに、ＰＤ伝送部ならびにＰＤ放散部は複数箇所配備されて、ＰＤ線の至る所に光量の多い部位を複数設けて、面白さや綺麗さを強調させる構造を兼ね合わせて良いＰＤ線構造、ならびにＰＤ伝送部を遮光被覆したＰＤ照明の構造に特徴を有する形態をしている。（第十九特徴）
【００５９】
また、ＰＤ照明は、少なくとも各光線の発生源である光源部と光源の調光制御部と入光部と伝送ファイバーと伝送ファイバーのコネクターとＰＤ端子とＰＤ線により全体が構成されるＰＤ照明の構造に特徴を有する形態をしている。（第二十特徴）
【００６０】
また、ＰＤ照明に使用する１本のＰＤ線の端子側先端は、球面研磨や平面研磨などを行い、当該研磨に適合する加工を施した伝送ファイバー先端に配備されているコネクターとＰＤ端子により半固定接続されて、光源より伝送されてきた光線がＰＤ線に伝達あるいは入光されるＰＤ照明の構造に特徴を有する形態をしている。（第二十一特徴）
【００６１】
また、ＰＤ照明に使用する１本のＰＤ線の開放端先端は、球面状であったり平面状の形状をして、当該先端よりＰＤ線に入光した光線を放散あるいは放出するＰＤ照明の構造に特徴を有する形態をしている。（第二十二特徴）
【００６２】
また、ＰＤ照明に使用する１本のＰＤ線は、端子側先端部にはＰＤ端子を配備して、光源より光線を伝送してくる伝送ファイバーのコネクターと接続されて、球面加工や平面加工などを施した伝送ファイバー先端とＰＤ線の端子側先端を接触させて光線の伝達を行うＰＤ照明の構造に特徴を有する形態をしている。（第二十三特徴）
【００６３】
また、ＰＤ照明に使用する１本のＰＤ線の開放端先端近傍には、ＰＤ線の外表面より中心部に向う針状などの凹みや目荒しなどを施し、端子側先端より入光され全反射を繰り返してＰＤ線内を伝送してきた光線が凹みなどで一部乱反射を起こして、ＰＤ線の外部に光線の一部を漏出あるいは放散ならびに先端より放出されるＰＤ照明の構造の特徴を有する形態をしている。（第二十四特徴）
【００６４】
また、カテーテルの外装表面付近の内部には、複数のＰＤ線が配備されて、カテーテルの先端部にＰＤ線開放端先端ならびに開放端先端近傍の周囲の凹みを露出させて、ＰＤ線に入光されて全反射を繰り返し伝送されてきた光線の一部を乱反射させて漏出された光線を放散させる事により、カテーテルの照明光源とするＰＤ照明の構造に特徴を有する形態をしている。（第二十五特徴）
【００６５】
また、ＰＤ照明の構造をカテーテルの必須構成要素としたカテーテルのＰＤ照明の構造に特徴を有する形態をしている。（第二十六特徴）
【００６６】
また、ＰＤ線に入光される光線は、可視光線であり、細胞などを焼灼や有害な副作用を起こさない光線であって、赤外線域や紫外線域の波長を除いた光線であるＰＤ照明に使用するＰＤ照明の構造に特徴を有する形態をしている。（第二十七特徴）
【００６７】
さらに、
例外として、胃の内部などの広い空間を一度に殺菌あるいは除菌ならびに焼灼する場合には、可視光線に、除外していた赤外線域や紫外線域の波長域の光線を一時的に混ぜた光線として、照明ならびにＰＤ治療を同時に行えるＰＤ照明の構造に特徴を有する形態をしている。（第二十八特徴）
【００６８】
さらに、
ＰＤ照明では、発光源およびＰＤ照明の調光を制御する回路および回路を形成する基板（リジットタイプやフレキシブルタイプなど）を配備して、虹色などの光の色や光量を調節制御するＰＤ照明の構造に特徴を有する形態をしている。（第二十九特徴）      文面のみで当業者なら理解できるので不図示です。
【００６９】
ここで、
本発明者による過去の発明である特許文献９の特開平８−３０６４６２および特許文献１０の特開平９−２９８２６１および特許文献１１の特開平１０−５６１１６および特許文献１２の特開平８−２９８３０４に記載のラップワイヤーを用いて、アクリル板やビニール傘のハンドルの中などに抵抗や半導体を埋め込んだりや貼り付けなどして、これらをラップワイヤーで結線しても支障はない。また、木材上でも段ボール上でも金属上でも、部品同士がショートしないような配慮がなされれば可能です。また、部品とラップワイヤーを外部との接続部を除き全ての部品とラップワイヤー（被覆は再考慮必須）を材料の内部に全て埋め込んでも当然良い。（第二十九特徴補足１）
【００７０】
ここで、当該の特許文献９より１２は、一昔前に発明した文献でありますが、現在の一般的な回路ならびに車載の回生回路に用いるインバーターやコンバーターや電源回路や高周波回路の結線やインバーター集積回路やコンバーター回路や電源回路や一般的に用いる各種の半導体製造である特長を活かし、ＰＤ照明のＲＧＢ回路形成のみでなく、さらに、当該の回路に付随する電源回路また、付随の一般的な回路までも形成しても良い。さらに、当該の文献は基板のように導通に薄い銅箔を用いることがないので大電流や高周波の導線に最適です。ただし、ラップワイヤー装置は、概ね基礎重量が１２トン程、加速度は５．０Ｇ程度の装置となると推察してます。（第二十九特徴補足２）
【００７１】
さらに、
洋服の襟の中やパンツのウエスト部の中にラップワイヤーで結線した回路を構築しても支障はない。また、板状に限らず塊状の外表面あるいは内部に回路を構築しても支障はない。（第二十九特徴補足３）
【００７２】
さらに、
アレルギーなどの心配のない方には、腕や足や額などに同様にラップワイヤーで構築されても支障はない。医学的には本人の責任で行ってください。（第二十九特徴補足４）
【００７３】
さらに、
車のフロントガラスや窓ガラスや車体やアルミホイールやタイヤの側面などのあらゆる場所に同様に構築された回路を配備してもオシャレで先進的なカーグッズとなる。また、デコトラなどのデコグッズに最適です。（第二十九特徴補足５）
【００７４】
さらに、
クリスマスやバレンタインなどの行事的な催し日には、従来のＬＥＤ照明に代わる室内外装飾用ＰＤ線を貼り巡らせても楽しみが増す。調光制御には従来の基板やラップワイヤーにて構築された回路を用いても良い。（第二十九特徴補足６）
【００７５】
さらに、
ＰＤ照明に登載される発光源には、ＲＧＢの三原色の発光体を装備するＰＤ照明の構造に特徴を有する形態をしている。（第三十特徴）
文面のみで当業者なら理解できるので不図示です。
【００７６】
さらに、
ＰＤ照明に搭載される調光制御する回路のＯＳは、ＴＲＯＮ仕様などであるＰＤ照明の構造に特徴を有する形態をしている。（第三十一特徴）      文面のみで当業者なら理解できるので不図示です。
【００７７】
さらに、
ＰＤ照明に使用するＰＤ線の材質は、石英ガラスやＢＫ７などのガラス製である。また、赤外線域や紫外線域の波長域の光線を一時的に混ぜる場合を除く場合には、無色透明な低密度ポリエチレンなどの合成樹脂製やシリコン樹脂製やアクリル樹脂製であるＰＤ照明の構造に特徴を有する形態をしている。（第三十二特徴）        文面のみで当業者なら理解できるので不図示です。
【００７８】
また、ＰＤ玩具やＰＤ道具やＰＤ装置やＰＤ看板などは、ＰＤ照明を配備するＰＤ照明の構造に特徴を有する形態をしている。（第三十三特徴）
【００７９】
一例として、色調を色々と変えたり、光る度合いを変えたり出来る美少女制服戦士のステッキやコンサートなどで用いるペンライトなどの玩具にＰＤ照明を配備するＰＤ玩具の構造に特徴を有する形態をしている。（第三十四特徴）      文面のみで当業者なら理解できるので不図示です。
【００８０】
一例として、色調を色々と変えたり、光る度合いを変えたり出来る交通誘導員の誘導棒にＰＤ照明を配備するＰＤ道具の構造に特徴を有する形態をしている。（第三十五特徴）      カテーテルのＰＤ照明に類似なので、文面のみで当業者なら理解できるので不図示です。
【００８１】
一例として、色調を色々と変えたり、光る度合いを変えたり出来る車載のアンテナであり、シャークフィンやポール状のアンテナケースに配備して、光るアンテナケースにＰＤ照明を配備するＰＤ装置の構造に特徴を有する形態をしている。（第三十六特徴）    文面のみで当業者なら理解できるので不図示です。
【００８２】
一例として、色調を色々と変えたり、光る度合いを変えたり出来るＰＤ線をハンドルや石突や中軸や傘骨にＰＤ照明を配備して、発光による夜間や雨の日の注意喚起や七色のカラフルなオシャレを楽しんだりできるビニール傘の構造に特徴を有する形態をしている。（第三十七特徴）
【００８３】
一例として、色調を色々と変えたり、光る度合いを変えたり出来るＰＤ線をアクリル板やプラスチック板や金属板や棒状や壁や建物や木々電飾などに、文字や模様をなすように貼り付けた、あるいは取り付けたＰＤ看板の構造に特徴を有する形態をしている。（第三十八特徴）      文面のみで当業者なら理解できるので不図示です。
【００８４】
一例として、色調を色々と変えたり、光る度合いを変えたり出来るＰＤ線を帽子やダンス服やお笑い芸人服や歌手の電飾衣装などの何でも取り付け、ユーモラスで楽しい各種電飾衣装のの構造に特徴を有する形態をしている。（第三十九特徴）      文面のみで当業者なら理解できるので不図示です。
【００８５】
一例として、色調を色々と変えたり、光る度合いを変えたり出来るＰＤ線を車のメーターやメーターの針や車体や車内などに取り付けたＰＤ装飾の構造に特徴を有する形態をしている。（第四十特徴）  文面のみで当業者なら理解できるので不図示です。
【００８６】
一例として、色調を色々と変えたり、光る度合いを変えたり出来るＰＤ線を何にでも気軽に取り付けて楽しむＰＤお楽しみの構造に特徴を有する形態をしている。（第四十一特徴）    文面のみで当業者なら理解できるので不図示です。
【００８７】
つぎに、ＰＤ照明２（ＰＤ映像の方が適するかも）として
ＰＤ線の口径は１００ミクロンから５００ミクロンと細いので、従来の発光ＬＥＤより小型で、例えば透明無色あるいは透明有色な合成樹脂製のシートの中に複数本のＰＤ線を配備し、シート状に並べてシート状の照明器材となる構造に特徴を有するＰＤ照明の形態をしている。（第四十二特徴）
文面のみで当業者なら理解できるので不図示です。
【００８８】
さらに、
シート状の照明器材は、シート状の照明ができるので、光るポスターのバックライトとしての手段となり、光る宣伝看板ありは宣伝板となる構造に特徴を有するＰＤ照明の形態をしている。（第四十三特徴）
文面のみで当業者なら理解できるので不図示です。
【００８９】
さらに、
ＰＤ照明は、バックライトの特徴を最大限に活用して、バックライトの必要な超特大の有機ＥＬや液晶などのバックライトを構築できる可能性がある構造に特徴を有する形態をしている。（第四十四特徴）
文面のみで当業者なら理解できるので不図示です。
【００９０】
さらに、
建物の壁面の殆どをバックライトとして、大型ディスプレイを構築し、例えば江戸っ子リゾート施設のプリンス城や浪速の商人３Ｄあるいは４Ｄのアトラクションに使用出来るＰＤ照明の構造に特長を有する形態をしている。（第四十五特徴）
文面のみで当業者なら理解できるので不図示です。
【００９１】
さらに、
ＰＤ線は極度に小さな曲面以外であれば柔軟に曲面あるいは複雑な曲面にも追従する特長を活かし、劇場の緞帳に縫い付けたり、貼り付けたりして、光る緞帳となるＰＤ照明の構造に特長を有する形態をしている。（第四十六特徴）
文面のみで当業者なら理解できるので不図示です。
【００９２】
さらに、
ＰＤ線は極度に小さな曲面以外であれば柔軟に曲面あるいは複雑な曲面にも追従する特長を活かし、人体の外表面に貼り付けたりして、光り輝く人となるＰＤ照明の構造に特長を有する形態をしている。（第四十七特徴）
医学的には本人の責任で行ってください。
文面のみで当業者なら理解できるので不図示です。
【００９３】
さらに、
ＰＤ線は極度に小さな曲面以外であれば柔軟に曲面あるいは複雑な曲面にも追従する特長を活かし、車体の曲面などの全体に貼り付けて光る車となるＰＤ照明の構造に特長を有する形態をしている。（第四十八特徴）
文面のみで当業者なら理解できるので不図示です。
【００９４】
つぎに、ＰＤフィルターについて
ＰＤ線を格子状に配備したフィルターを通過する空気や水や薬液などは、ＰＤ線外へ漏出する光線（紫外線）の照射により除菌ならびに殺菌されるＰＤ除菌フィルターの構造に特徴を有するＰＤ除菌殺菌の形態をしている。  （第四十九特徴）
【００９５】
さらに、
ＰＤフィルターのＰＤ線は、縦横のＰＤ線を二段に重ねて配備される構造や通過する流体の圧力や振動に耐えるように、二段に重なった部位を接着剤などで補強固定する構造ならびに機織り物のように縦線と横線を編み込んで補強する構造ならびに編み込んだ上に交差部を接着剤などで補強固定する構造に特徴を有する形態をしている。  （第特徴）
【００９６】
さらに、
ＰＤフィルター枠の材質をガラス製とし、ＰＤ線の材質も同様にして、耐薬品性を有することによって、液状あるいは気体状の薬品や試薬類の除菌殺菌が出来るＰＤフィルターの構造、ならびに当該ＰＤフィルターにより化学構造に刺激や反応の促進をもって、薬品や試薬や新薬の開発や発見（変異）に供与出来る可能性を秘めたＰＤ化学反応の構造に特徴を有する形態をしている。  （第五十特徴）
【００９７】
さらに、
ガラス製のＰＤフィルターは、ガラスの融点付近までの使用温度範囲を有し、高温を有するＰＤ化学反応の促進や発見に供与出来る構造に特徴を有する形態をしている。  （第五十一特徴）
【００９８】
さらに、
ガラス製のＰＤフィルターは、レーザー光線に対応でき、フィルターを通過する試薬や薬品をガラス融点付近までの超高温状態にできて薬品や試薬に変異を起こさせて新たな発見やＰＤ化学反応を促進出来ないかな構造に特徴を有する形態をしている。  （第五十二特徴）
【００９９】
つぎに、
大型ＰＤ除菌フィルターは、ＰＤ線を固定する台座としてステンレスなどの金属製とし、耐食性や高強度の性能によって、流れの強い水道水や大型エアーダクトなどに使用出来る構造に特徴を有する形態をしている。  （第五十三特徴）
【０１００】
さらに、
ガラス製のＰＤ線と融点が高い材質の台座を併用して、過熱蒸気や高温気体や高温液体の除菌や殺菌を可能とするＰＤフィルターの構造に特徴を有する形態をしている。  （第五十四特徴）
【０１０１】
さらに、
ＰＤフィルターは、縦横のＰＤ線と下枠と上枠を一体成形して製造される構造、あるいは上下枠とＰＤ線を個別に製造して、組み立てて接着などで固定する一般的な製造法でも支障はないです。  （第五十五特徴）
【０１０２】
また、
下枠と上枠とＰＤ線を個別に製造し組み立てた後の固着する手段は、組み立てられた合成樹脂製の上下枠に挟み込まれた縦横のＰＤ線にレーザー光線を入光させるＰＤ接合により上下枠を溶融固着させるとともにＰＤ線自身も同時に固定されるＰＤセルフ製造法を手段とする構造に特徴を有する形態をしている。  （第五十六特徴）
【０１０３】
また、下枠と上枠とＰＤ線を個別に製造し組み立てた後の固着する手段は、組み立てられたアルミ製の上下枠に挟み込まれた縦横のＰＤ線にレーザー光線を入光させるＰＤ溶接により上下枠を溶融固着させるとともにＰＤ線自身も同時に固定されるＰＤセルフ製造法を手段とする構造に特徴を有する形態をしている。  （第五十七特徴）
【０１０４】
さらに、ＰＤセルフ製造法では、ＰＤフィルターの枠の材質は、合成樹脂製ならびにアルミであり、個別に製造して組み立てる場合には、木材や金属や合成樹脂やガラス製や炭素繊維製やコンポジット（composite）製などである構造的な特徴を有する形態をしている。  （第五十八特徴）
【０１０５】
さらに、ＰＤフィルターの応用例として、当該のＰＤフィルターの枠の形状をリング状（不図示）として、３個並べて、それぞれに、赤色光および緑色光（青色光でも可）および黄色光を入光させて信号機とする。また、図のような矩形であっても良く歩行者用信号機とする。このような信号機として使用可能なＰＤフィルターの構造に特徴を有する形態をしている。  （第五十九特徴）
【０１０６】
つぎに、ＰＤ水耕栽培について
ＰＤ水耕栽培は、ＰＤ線やＰＤシートを照明源とする構造に特徴を有する形態をしている。  （第六十特徴）
【０１０７】
また、
ＰＤ水耕栽培室の内壁面や天井や床の室内壁外表面にＰＤシートを配備して、栽培室内の栽培光が野菜の全方位より照射する構造に特徴を有する形態をしている。  （第六十一特徴）
【０１０８】
また、多数の棚に栽培槽を並べる場合に、上段の栽培槽が下段の栽培野菜に照射される栽培光を遮ることがないように、上段や横の栽培槽の外表面にＰＤシートを配備するＰＤ水耕栽培の構造に特徴を有する形態をしている。    （第六十二特徴）
【０１０９】
ＰＤ水耕栽培の光源は、可視光線の波長域であって、光合成を促す赤色光および葉や実を育てる青色光を発光するＬＥＤや同等の発光手段である。当該の赤色光と青色光をＰＤ線に入光させて、全反射を繰り返して線内を伝達される間に、凹みなどにより乱反射を起こして、ＰＤ線外に一部が漏出され、漏出された赤色光と青色光を栽培野菜などに照射して光合成を促して育成する構造に特徴を有する形態をしている。  （第六十三特徴）
【０１１０】
さらに、照明源となるＬＥＤは、少なくとも波長が６６０ｎｍの赤色ならびに波長が４４０ｎｍの青色を発光するＬＥＤであるＰＤ水耕栽培の構造に特徴を有する形態をしている。  なお、当該波長以外の波長域を含んでも良い。（第六十四特徴）
【０１１１】
さらに、ＰＤ水耕栽培には当該の光線以外に、少なくとも二酸化炭素および水あるいは窒素およびリンおよびカリウムなどを含んだの養分を含んだ栽培水を準備するＰＤ水耕栽培の構造に特徴を有する形態をしている。  （第六十五特徴）
【０１１２】
さらに、ＰＤ水耕栽培で栽培する野菜類は、リーフレタスやパセリやパクチーやベビーリーフ類などやミニトマトや柑橘類であることに特徴を有する形態をしている。  （第六十六特徴）
【０１１３】
つぎに、ＰＤバックライトについて、
ＰＤバックライトは、ＰＤ端子とＰＤ線とバックライト枠と表層と底板を少なくとも各々１つ以上配備され、各部位により構成される構造に特徴を有する形態をしている。  （第六十七特徴）
【０１１４】
さらに、
照明源とするＰＤ線だけでは表層の全面において単位面積当たりの光量にバラツキがありすぎる場合に、さらに、ＰＤ線周囲の空隙に不特定形状の充填材を詰めバックライト内部でＰＤ線より漏出した光線を乱反射させて、乱反射した光線はあらゆる方向で表層の表面より放散され、ＰＤバックライト表面全面が略均一の光線量なる構造に特徴を有する形態をしている。  （第六十八特徴）
【０１１５】
なお、充填材は、石英ガラスやＢＫ７などのガラス製や可視光線の透過性の良い合成樹脂製ならびにその他材質製であり、不特定な形状であるので、通信用などのファイバー屑を破砕し洗浄した材料や可視光線の透過性の良い材料なら何でも可能であり同様に破砕洗浄された材料なら良い構造に特徴を有する形態をしている。  （第六十九特徴）
【０１１６】
さらに、底板のＰＤ線側側表面には鏡面処理を施して、ＰＤ線より漏出した光線で底板方向に向いた光線を表層方向に全て反射して漏出した光線を全て照明源とする構造に特徴を有する形態をしている。  （第七十特徴）
【０１１７】
さらに、
バックライト枠の内面にはミラー加工を施した構造に特徴を有する形態をしている。  （第七十一特徴）
【０１１８】
さらに、
バックライト枠は、金属製や合成樹脂製などであり、準備された幅の小さな板を折り曲げて製造される金属製では、準備された板の両端は、ＰＤ端子を挟み込み固定するようにＰＤ端子付近で接する構造と合成樹脂製では金型により一体成型された枠はＰＤ端子のところでＰＤ端子を組み込むために押し広げれる構造に特徴を有する形態をしている。  （第七十二特徴）
【０１１９】
さらに、
表層のＰＤ線側の裏側には針状などの凹みを配備して、バックライト内部より外部に出る光線の進行方向をあらゆる方向に向くようにして表層全面において略均一な光線分布とした構造に特徴を有する形態をしている。  （第七十三特徴）
【０１２０】
さらに、
バックライトの調光は、ＰＤ照明同様で、基板上に回路を形成したり、ラップワイヤーで結線された回路の調光回路により制御されて、ＯＳは日本生まれのＴＲＯＮ仕様でも当然良い構造に特徴を有する形態をしている。  （第七十四特徴）
【０１２１】
さらに、
当該ＰＤバックライトを搭載する製品群には、有機ＥＬや液晶のディスプレイなどのテレビやスマホや腕時計や掛け時計や看板類や玩具や車載メーターや車載用品や車載電飾や信号機や案内板や交通標識や道路標識などに応用出来る構造に特徴を有する形態をしている。  （第七十五特徴）
【０１２２】
さらに、
そのまま照明器具として用いて、懐中電灯およびランタンなどの照明器具や観賞魚水槽照明や水族館水槽照明などのバックライトならびにＰＤバックライトを照明源とできる日常生活品および工業製品ならびにストップランプやウインカーやバックランプ類の車載ランプ類に搭載出来る構造に特徴を有する形態をしている。  （第七十六特徴）
【０１２３】
さらに、
ＰＤバックライトを搭載する有機ＥＬならびの液晶ディスプレイは、タッチパネル機能を有する構造に特徴を有する形態をしている。  （第七十七特徴）
【０１２４】
つぎに、ＰＤ信号機について、
今回は概ねについての説明であります。より詳細ならびに周辺装置や周辺回路などやＰＤ交通管制については、続編に続きます。本発明のＰＤ信号機（矩形）は、矩形状の信号機で歩行者用などに利用出来る上に、車両規制にも使えます。従来の様に丸形にすることも枠の形状だけを変えれば容易に出来るので今回は省略します。
【０１２５】
さて、
本発明のＰＤ信号機は、ＰＤ接合とＰＤ溶接とＰＤバックライトとＰＤ照明とＰＤフィルターを応用した信号機であります。まず、一対のＰＤ端子と端子間を接続する１本のＰＤ線を信号機の照明光源としています。また、それぞれの端子間に接続される２本や３本などの複数本数のＰＤ線を２段や３段などの複数段に重ねても良く、また、１つの端子に繋がる１本のＰＤ線を複数本使用しても良く、信号機の総光量を増やせてより視認し易い信号機ならびに複数本数のＰＤ線を配備出来るので、新たな信号機の提案もし易い構造に特徴を有する形態をしている。  （第七十八特徴）
【０１２６】
さらに、当該ＰＤ信号機のＰＤ線に入光される光線は可視光線であります。色は従来の車両規制信号機同様に赤色ならびに緑色（青色）ならびに黄色の３色を基本とします。歩行者用においても同様であります。しかしながら、よりカラフルに認識し易い色が、信号機の法的仕様に認可されれば調光制御により容易に対処可能です。  （第七十九特徴）
【０１２７】
また、枠の材質は、アルミ製や合成樹脂製や耐候性に優れたガラス製などである。ＰＤ線は、石英ガラスやＢＫ７や透明な低密度ポリエチレンなどの合成樹脂製などです。  （第八十特徴）
【０１２８】
また、合成樹脂製の枠固定ならびにＰＤ線の固定は、枠とＰＤ線を組み立てると同時に接着材などで固定する方法と枠内に埋め込まれるＰＤ線の部位に針状の凹みなどを施し、ＰＤ線に一時的にレーザー光線やハロゲン光線を入光させるＰＤ接合により枠同士を融着固定すると同時にＰＤ線も固定される構造に特徴を有する形態をしている。  （第八十一特徴）
【０１２９】
さらに、枠の材質がアルミの時には、枠とＰＤ線を組み立てた後に、枠内に埋め込まれるＰＤ線の部位に針状の凹みなどを施したＰＤ線にレーザー光線を入光させて、アルミ製の枠を溶接するＰＤ溶接により枠を固定すると同時に、ＰＤ線も同時に固定される構造に特徴を有する形態をしている。  （第八十二特徴）
【０１３０】
このように本発明の２つの製造法では、特許文献１より８までに記載のＰＤ接合のためにだけ準備するＰＤ線ならびに先行文献中に記載したＰＤ溶接のためにだけ準備するＰＤ線は特に必要ではなく、本発明のＰＤ信号機の構成要素の一つであるＰＤ線を代用し、信号機に入光する可視光線の代わりに、レーザー光線やハロゲン光線を製造時のみにおいて一時的に用いて、ＰＤ接合やＰＤ溶接を行って枠ならびにＰＤ線の固定固着を行う構造に特徴を有する形態をしている。  （第八十三特徴）
【０１３１】
このような製造上における構造的な形態は、ＰＤ信号機を構成する自己のＰＤ線をそのまま用いて、枠の固着やＰＤ線の固定を行い自己を製造する。要するに、自己を用いて自己を製造するＰＤセルフ製造法である構造に特徴を有する形態をしている。  （第八十四特徴）
【０１３２】
また、従来のＬＥＤ信号機では、ＬＥＤのを搭載する基板のエッチングや半田付けや洗浄などが行われていたが、本発明のＰＤ信号機においては、エッチングなどで使用される薬品も不必要であり、洗浄も半田付けの工程も不必要な構造に特徴を有する形態をしている。  （第八十五特徴）
【０１３３】
また、ＰＤ線はＰＤバックライトの実施例にあるように機織りのように編み込んで縦横に配備（図示）しても、ＰＤ線自体にはフィルターのように流体が通過することもないので、横線を一つの面上に配備し、縦線も一つの面上に配備し、それぞれを２段に配備（不図示）しても良い構造に特徴を有する形態をしている。  （第八十六特徴）
【０１３４】
さらに、枠の裏側（信号機裏側）には底板が配備され、その内部側表面にはミラー加工が施されて、底板方向に向いた光軸を表層側に反射して、ＰＤ線より漏出光線を有効利用する構造に特徴を有する形態をしている。  （第八十七特徴）
【０１３５】
また、表層の内部側に配備した針先状などの凹みは、信号機内部より信号機表に出る光線を乱反射して全方位方向に光を放散させて、信号機全面が均一な明るさとする目的で配備されている。ＰＤ線のみの配備では、ＰＤ線が配置されている部分と配備されていないところとでは不均一な光線量となり明るい所と暗い所が信号機全面に現れると推察出来るのでその対処法です。このような問題が発生しないときには凹みを配備しなくてもよい。  （第八十八特徴）
【０１３６】
さらに、当該対処法を施しても、信号機の全面において均一な明るさが得られない場合の２つ目の対処法として、信号機枠と底板と表層に囲まれた空間のＰＤ線周囲に不特定な形状であり、光線に乱反射を誘因して全方位方向に光線を放散させる目的で充填材を充填する対処法を施す。この充填材は、光の透過性が良い透明なガラス類であり、通信用の光ファイバーの廃棄品や製造時に発生する不要屑などやリサイクルされたガラスを破砕した後に、綺麗に洗浄して充填材とする。当然ながら、光線の透過性能が良い材料の合成樹脂屑などでも当然良くて、その上、ガラスや合成樹脂のリサイクル促進の出来る構造に特徴を有する形態をしている。  （第八十九特徴）  
【０１３７】
また、信号機表面には、太陽光などの外交の写り込みが起きないように、ノングレア処理を施す構造に特徴を有する形態をしている。  （第九十特徴）
【０１３８】
また、ＰＤ端子は伝送ファイバーの先端に配備されたコネクターと半固定されて、コネクターならびにＰＤ端子の球面研磨などが施された伝送ファイバー先端とＰＤ線先端を接触させて光線の伝達を行う部位である構造に特徴を有する形態をしている。  （第九十一特徴）
【０１３９】
また、本発明のＰＤ信号機の周辺には、調光を制御する調光回路や無線通信回路や信号機管制システムや蓄電装置および電源回路を搭載する構造に特徴を有する形態をしている。  （第九十二特徴）
【０１４０】
さらに、連珠ＰＤ線（同日の別出願）を本発明および特許文献１より８に対応させて、従来のＰＤ線の代用として本発明の内容ならびに本シリーズ全てに記載の内容に当該連珠ＰＤ線を適応させ、新規な内容とします。従来のＰＤ線と連珠ＰＤ線は、光線の漏出手段が異なるのみでそのまま代用出来る物です。さらに、本シリーズに記載の各製品群にも全て対応させます。”ＰＤ線は連珠ＰＤ線を代用出来る、”との注意書きのみです。
【実施例】
【０１４１】
以上を踏まえて本発明の実施例を説明する。図１はポリープ等の内部焼灼および外部焼灼図ならびに殺菌および除菌の図です。本図は、胃などの内臓内部壁の患部と当該内臓の内部に出来たポリープなどの患部に対する治療の一例図です。外部タイプおよび内部タイプの２種類を同時に図示している。外部タイプは、７のＰＤ線を１０のカテーテルより突き出してＰＤ線より漏出あるいは放散ならびに放出された光線が、ＰＤ線開放端先端ならびに開放端先端近傍の周囲の患部外部に照射して患部を焼灼ならびに殺菌ならびに除菌あるいは温熱刺激あるいは細胞の活性化などを行う治療です。同様に、該内部タイプは、患部内部に７のＰＤ線を１０のカテーテルより突き出してポリープなどの患部内部にＰＤ線治療を刺し込み、刺し込まれた患部内部の開放端先端ならびに開放端先端近傍より漏出した光線により患部内部を直接焼灼ならびに殺菌ならびに除菌あるいは温熱刺激あるいは細胞の活性化などを行う治療です。（第一特徴）（第二特徴）（第三特徴）（第十四特徴）
【０１４２】
ここで、図６および７および８に図示している様に、３のカメラは３−１のカメラ配備孔に、５のハサミやピンセットは５−１のハサミやピンセット配備孔に、７のＰＤ線治療は７−１のＰＤ線配備孔に、９のガイド針は９−１のガイド針配備孔にそれぞれ格納され、各々を格納したカテーテル１０は、外装の内部に埋め込まれた１のＰＤ線照明により１０のカテーテルの前方を照らしながら患者の口あるいは出口あるいは切開した部分より患者の体内に挿入され、患部に到達する。その後、７−１に格納されていた７のＰＤ線治療は突き出されて、外部タイプおよび内部タイプの治療を開始する。カテーテル１０に格納される装備の種類は、自由な組あわせであっても当然支障はない。
【０１４３】
例えば、出血に備え血液を吸引する道具などを組み合わせても良い。また、５のハサミやピンセットは当該治療の際に焼灼でなく切り取る場合に準備したものです。また、９のガイド針は７のＰＤ線が患部表層が堅くて刺し込めない時に該ガイド針をもって患部内部にＰＤ線７を刺し入れるためのものです。また、７は３本格納されているが、ポリープが複数の場合に、３箇所まで一度に治療が出来る様に準備したものです。１本で複数回使用も支障はないのですが、他の患部の細胞が付着したＰＤ線の使い回しは新たな感染源となるのではないかと推察したものです。また、３箇所だけでなく、９でも治療し、さらに、ハサミで切る取る治療も出来て、一度体内に入ったカテーテルで多くの複数箇所の治療を行えるＰＤ治療です。
【０１４４】
なお、図１に示した外部タイプは、水虫や皮膚表面の殺菌除菌を行う場合に、患部の皮膚表面に７のＰＤ線のみを引き回して自由に照射できます。施術師が、長時間の治療となるので紫外線の害を受けることが考えられますので、眼鏡や防護服などの着用は必須と思われます。さらに、患者も同様に不要部には防護処置が必要です。
【０１４５】
以上のように、
光線を照射する手段は、患部ならびに細胞に対して、外部より細胞表面に照射する方式を１つの手段とする特徴を有する形態をしている。（第五特徴）
さらに、
光線を照射する手段は、患部ならびに細胞に対して、患部および細胞の内部より直接照射する方式を１つの手段とする特徴を有する形態をしている。（第六特徴）
【０１４６】
つぎに、図１は、胃や食道や腸などの内臓内部である。１０は７のＰＤ線などを格納して１６０の胃や内臓内患部に到達したカテーテルです。７のＰＤ線治療は漏出させた光線を外部タイプや内部タイプの照射手段を行う本発明のＰＤ線治療です。１２７は、７のＰＤ線の先端であり針尖状先端の形状をしている。このように尖った形状であるので１６５のポリープ、内臓細胞に容易に突き刺さる形態をしている。なお、１６０の患部は口内、耳穴、鼻内などの部位であっても支障はない。さらに、水虫の患部の皮膚であっても、毛根や皮下細胞やツボなどである。それぞれの部位に適する殺菌除菌ならびに焼灼や細胞の活性化や温熱刺激などの治療を施術する。５００は２１０の開放端先端ならびに開放端先端近傍における３６０の凹みあるいは目荒しよりＰＤ線７の線外へ漏出した光線を現している。当該の光線が焼灼や殺菌除菌などの治療手段となっている。
【０１４７】
また、ＰＤ治療において使用される光線は、殺菌ならびに除菌ならびに温熱刺激などでは、紫外線Ａおよび紫外線Ｂおよび紫外線Ｃおよび状況により紫外線Ｖならびに赤外線ならびに近赤外線域ならびに遠赤外線などの色々な波長域を有する光線を使用する構造の特徴を有する形態をしている。なお、紫外線においては、人体に有害な波長域と人体に無害な波長域の両方の波長域を使用する構造の特徴を有している。ただし、副作用などを誘因する有害な波長域を使用するのは、”毒は毒をもって征す。”の例えのように、僅かな時間の延命に使用する。（第十六特徴）
また、ＰＤ治療において焼灼に使用する光線は、波長１０６４ｎｍのＮｄ：ＹＡＧレーザー光線や１０７０ｎｍのＹｂ：ファイバーレーザーなどのレーザー光線ならびに、紫外線Ａおよび紫外線Ｂおよび紫外線Ｃならびに赤外線ならびに近赤外線域ならびに遠赤外線などの色々な波長域を有する光線を使用する構造の特徴を有している。また、これらの光線以外にも、治療に最も最良である光線でも支障はない。（第十七特徴）
【０１４８】
また、ＰＤ治療に使用するＰＤ線の材質は、長距離ならびに伝送損失に厳しいデーター通信用の光ファイバーと異なり、光源よりコネクターまでの距離は除きＰＤ端子より開放端先端迄の距離は口より腸を通過して出口までの距離があれば良く、さらに伝送損失もさほど厳しくないので、合成樹脂製のプラスチック製や石英ガラス（レーザーならびに紫外線波長２００ｎｍ以上）ならびに紫外線波長１５０ｎｍ以上では、フッ化カルシウムおよびフッ化マグネシウムやＢＫ７（レーザー）など折れにくく、先端を尖った形状に出来る物であれば何でも可能です。  また、ＰＤ治療を良好に行える新素材などでも当然支障はない。  ここでの注意点は、ガイド針とＰＤ端子とＰＤ線は”一度きりの使い切り”が必須条件であり、自己感染や院内感染などの防止策です。さらに、治療通院の回数も繰り返されるので、出来るだけ安価とし、患者の負担軽減も必須条件です。これらの条件は海外展開の第一条件ともなり、将来の国益を産み出す基幹技術ともなり、患者に健やかな生活を送って頂く条件となリ得る本発明の効果です。（第十八特徴）（第三十二特徴）
【０１４９】
さらに、当該の治療は、悪玉のみならず周囲の善玉までも焼灼や副作用を起こすことも推測出来るので、紫外線でも有害な波長を使用する場合は特に細心の注意が必要です。さらに、投薬などの処置も必須です。また、医療技術の全てを加味させても患者を健やかに出来るのはほんの僅かであることも推測されます。それが年間にたった一例であっても幸いに思います。
【０１５０】
つぎに、図２はＰＤ線治療（断面表示）図です。ＰＤ線開放端先端ならびに開放端先端近傍のみの断面表示です。正面図や側面図は図１６（ニ）に図示してます。図２において、７のＰＤ線治療は２１０の開放端先端である１２７の針尖状先端の形状していて、ポリープの内部に刺し込め易くなっている。ＰＤ線自体が２００ミクロン程度の口径であるので、先端部は平面でも球面などの曲面であっても、患部の表層の粘膜等を突き破って、内部に７のＰＤ線を刺し込めれば形状は特定しない。開放端先端近傍である２３０の ＰＤ放散部はＰＤ線の表面に中心部に向かって針状などの凹みあるいは目荒し３６０が配備されて、ＰＤ線の伝送部中を全反射を繰り返してきた光線に乱反射を発生させて、光線を線外に漏出させて、当該光線を治療の焼灼や殺菌ならびに除菌などに用いる。５００の漏出した光線は、絵柄的に一目で理解でき易い様に表示している。この５００は他の図面にも表示します。（第九特徴）（第十四特徴）
【０１５１】
つぎに、図３は皮下組織ならびに水虫菌などの殺菌ならびに除菌の治療法の図です。患部が手足周りの表面や皮下細胞ならびに内臓の壁やその内臓細胞です。双方の表面を患部とする場合は、容易に理解出来る前述の外部タイプであり、漏出させた光線を外側より表面に照射すれば良いので、不図示です。図３は、前述の内部タイプであり、７はＰＤ線治療であり本発明の治療手段です。患部の表面である１７０の皮膚と１８０の内臓壁です。その下部である、１７２の皮下細胞と１８２の内臓細胞を図示してます。ＰＤ線を１７０および１８０を付破り１７２および１８２の内部に７を刺し入れて内部細胞に５００の漏出光線を照射して焼灼および殺菌ならびに除菌ならびに細胞の活性化や温熱刺激の治療を行う。当然ながら、ツボに同様に差し込み同様の治療を行う。さらに、毛根の細胞近傍に刺し入れて毛根細胞の活性化や温熱刺激をあたえて、発毛を促す。ここで、表面が堅いときにはガイド針を使用することは当然です。また、鼻孔や耳穴などでも同様です。（第十特徴）
なお、この治療が有効なら本発明者自身が第一番目の患者になりたい者です。さらに、本記述中の治療は医学的に成り立つのか不明および未調査でありますので医療当業者の皆さんのご意見を頂きたいです。単に機械屋がこんなことが出来るよっ。と提案したものです。  紫外線の副作用には充分に検討願います。
【０１５２】
つぎに、図４は歯肉などの殺菌ならびに除菌の治療図です。１５５の歯とその周囲の１５６の歯肉の治療です。２つの治療法を１枚の図面に図示しています。１５６の歯肉内の殺菌除菌は、１５６の内部に７のＰＤ線治療を刺し入れて殺菌および除菌を行う。雑菌やカビ菌などの菌床自体の除去を目指した治療です。菌床を死滅させないと何度も菌が増殖するのではないかと推察した次第です。１５５の歯と歯肉の境部の殺菌および除菌を行う治療です。また、歯肉に７が刺さりにくいときにはガイド針を利用します。歯ブラシの一本と同等の口径であるＰＤ線ですので、ＰＤ線を歯の外表面に沿わせて周囲を殺菌および除菌することを目指しました。    なお、本治療も医学的な確証があるものでなく医療とは離れた技術屋の単なる治療法の提案です。紫外線の副作用には充分に検討願います。（第四特徴）（第十特徴）（第十一特徴）
【０１５３】
つぎに、図５は血液の殺菌ならびに除菌の図です。７は本発明のＰＤ線治療です。１５０は血管であり、１５１は血流です。    
最初に、
紫外線が照射されると、血液がどのように変化するのか皆目見当がつきませんが、単なる機械屋的な発想での提案です。血液の成分の変化などの副作用や凝固や善玉があまりにも死滅し過ぎるなどの副産物が、腎臓やその他の臓器に悪影響を及ぼす場合には、人工透析器の一部に組み込み副産物の除去をフィルターで行う。と云う観点も考えられます。  本発想は、素人考えで、病原菌などの悪玉が皮膚や粘膜や細胞内を歩いて体内のあちこちに移動することも考えられず、血中に菌類が溶け込み潜んで体中を巡るのではないだろうか？との、単純は推測からです。このように仮定すると、当然に血中の殺菌および除菌によりある程度の治療効果を現し、善玉の活性化を図れるだろう。当然ながら仮定の正誤を最初に論ずるべきです。
【０１５４】
図示のように、７のＰＤ線治療は１５０の血管を貫いて１５１の血流中に刺し入れて殺菌除菌を行う治療法です。血管の硬さを考慮すると９のガイド針が必須と推察します。ここでは、９のガイド針と針の内部に格納される７のＰＤ線との間に、僅かな隙間もあってはならないという条件が第一必須条件です。金属製でもガラス製のどちらでも同様です。恥ずかしながら、これ以上は医学的な確証と知識がなければなりません。有効な治療法であれば難病患者様の治療に役立つのではないか、との技術屋の勘です。また、紫外線の有害な効果もありますが、毒は毒をもって征す。の例えもあります。原因不明の１つを解決出来ませんでしょうか。（第十特徴）（第十一特徴）
当該の治療は特に細心の注意が必要です。
【０１５５】
つぎに、図６および７および８について３枚を兼ね合わせて記します。図６はＰＤ治療機器の構想図（カテーテル先端部）です。図７はＰＤ治療機器のＡ断面図です。図８はＰＤ治療機器のＢ断面図をそれぞれ図示してます。カテーテル１０は、１のＰＤ線（照明）と２の本体と３−１のカメラ配備孔と５−１のハサミやピンセット配備孔と９−１のガイド針配備孔と２のカテーテル本体より構成されている。カテーテル１０に格納される装備の一例は、３−１には３のカメラと５−１には５のハサミやピンセットと３つの７−１にはそれぞれのＰＤ線治療と９−１には９のガイド針とＰＤ線治療がそれぞれ装備される。他の組み合わせでも自由に組み合わせることが出来る。３のカメラは患部やその他の体内の映像を得るために装備される。５のハサミやピンセットは、患部を切り取る作業も治療で必要になることもあるので準備する。  さらに、ガイド針９が、ポリープなどの表面が堅すぎる場合に、ハサミで最初に表面を切り開き内部の柔らかな細胞を出して後にガイド針９あるいはＰＤ線１を内部タイプのように刺し込むことが可能となる。７のＰＤ線(治療)を３本準備してますがポリープが１個とは限らないことが多く、１本を使い回しては感染が気がかりですので複数準備した。９のガイド針は、７が細胞表面や細胞が堅くＰＤ線自体が刺し込めないときに用いる予備的な準備であり、ＰＤ線治療も格納されます。なお、従来のカテーテルに配備されている照明用ＬＥＤは配備されておらず、代わりにＰＤ照明を複数本数が配備されている。
なお、
カテーテル１０の本体２の材質は、柔軟性を有し、さらに抗菌性であれば良く、合成樹脂製やゴム製などが選択できる。本発明の１０は、感染症を防ぐためになるべく一度きりの使い切りとしたいのです。（第十一特徴）
【０１５６】
つぎに、１はＰＤ線照明で、構造的には７のＰＤ線治療や特許文献１より８までに記載のＰＤ接合のＰＤ線と略同様で、光線の一部を線外へ漏出させて漏出した光線を照明の光源として使用する構造となってます。当該のＰＤ線照明は、カテーテル１０の外表面近傍で、本体２の内部に本体と一体に製造され、あるいは別工程をもって同様の位置に配備される。図示の様に、外周に沿って複数本配備され、ＰＤ線１の開放先端部はカテーテルを体内に入れたときに周囲を傷つけないように球面上になっているが、平面状でも支障はない。開放先端部近傍には、ＰＤ線の特徴である３６０の凹みあるいは目荒し（中心方向に向かう針状の凹みなど）を施し、ＰＤ伝送部中を全反射を繰り返して伝送されてきた光線に乱反射を起こして、一部をＰＤ線外へ漏出させる凹みが配置されている。カテーテルに埋め込まれるＰＤ線の外表面には、ＰＤ線照明以外に一時的にＰＤ線治療として、胃内部などの広範囲に紫外線の照射を行う場合があるので、伝送部の安全性を確実に確保する目的で、３７０の遮光被覆を施している。遮光被覆は、本体２がＰＤ線を覆う厚みが充分の時には省略しても良い。また、発光源ならびにＰＤ照明の強弱は、ラップワイヤーによる結線がされた調光回路や基板上に構築された調光回路により制御される特徴を有している（不図示）。（第二十四特徴）（第二十五特徴）（第二十六特徴）（第二十七特徴）（第二十八特徴）（第二十九特徴）
【０１５７】
つぎに、ＰＤ照明について
図９は、ＰＤ治療およびＰＤ照明全体図（断面表示）ならびにＰＤ線治療（断面表示）図であり、断面表示となっています。本発明のＰＤ治療ならびにＰＤ照明に使用するＰＤ線とＰＤ方式について説明をします。なお、文言的にＰＤ線の後に”治療”と”照明”の２文字を附加して区別しました。３００は、レーザー光線や紫外線や赤外線などの各種光線を発生させる光源であります。３１０は光源で発生した各種光線を伝送ファイバー３２０に入光させる入光器です。３２０は、少なくとも３００と３１０により構成された光源部より３３０のコネクターが配備されて３５０の球面研磨などが施された３２０の先端まで伝送損失を極力少なくした伝送ファイバーです。材質は石英ガラスを代表とするガラス製や合成樹脂製などです。３３０のコネクターは、図面右側に図示している７のＰＤ線治療に配備されている３４０のＰＤ端子に配備されている３２６の溝にコネクターの３２５の爪が掛かり着脱自由な半固定接続される（他の手段でも支障はない）。接続に伴い、３２０の先端部ならびに７における２００の端子側先端の双方の３５０の球面研磨などが施された先端部が接触して、３２０の伝送ファイバーより７のＰＤ線治療に光線が伝達される。伝達された光線は７のＰＤ線治療の中を全反射を繰り返し、２００の端子側先端より２２０のＰＤ伝送部を通過して２３０のＰＤ放散部を通過（一部は乱反射で漏出する）し、２１０の開放端先端まで光線が伝送される。ＰＤ治療ならびにＰＤ照明の装置全体の構造がこのような形態をしている。先行文献にあるスポットＰＤ接合に略似た全体構造です。また、他の先行文献にあるＰＤ接合は、さらに開放先端よりＰＤ端子とコネクターを介して、残った光線を光源ヘ帰還させる構造が附加されている。ここで、本図の７のＰＤ線治療を図１０および図１１における１のＰＤ線照明に置き代えて、コネクターにより半固定接続させて光源側の装置はそのまま使用出来る。（第七特徴）（第八特徴）（第十九特徴）（第二十一特徴）
【０１５８】
図９における３２０の伝送ファイバーと３３０のコネクターの正面図および側面図は、図１２の各正面図および側面図（ハ）伝送ファイバーおよび伝送ファイバーコネクター概略図（ニ）ＰＤ線治療（ホ）ＰＤ線照明の図における（ハ）伝送ファイバーおよび伝送ファイバーコネクター概略図に図示されている。３２０の伝送ファイバーの右端には３３０のコネクターが配備されている。また、該コネクターには３２５の爪が４本配備されて、この爪は、７のＰＤ線治療あるいは１のＰＤ線照明の端部に配備された３４０のＰＤ端子に設置されている３２６の溝に掛かり半固定接続する形態となっている。他のバネによる研磨面の圧接ができる良好な手段による着脱自由で半固定接続でも良い。（第七特徴）（第八特徴）（第二十二特徴）（第二十三特徴）
【０１５９】
図９における７のＰＤ線治療は、３４０のＰＤ端子と２００の端子側先端より２１０の開放端先端まで１本のＰＤ線により構成されている。
また、２００ の端子側先端と２２０のＰＤ伝送部と２３０のＰＤ放散部と２１０の開放端先端の各部位により構成されている。２００ の端子側先端の部位は、文字通りＰＤ端子が配備され、線の先端部には３５０の球面研磨などが施されて、伝送ファイバーの球面研磨などと接することにより光線を受け取る。つぎに、２２０のＰＤ伝送部は３５０で伝達された光線をＰＤ線内部において全反射を繰り返して、２３０のＰＤ放散部まで線外に光線が線外に漏出せずに伝送される。つぎに２３０のＰＤ放散部には３６０の凹みあるいは目荒し（中心方向に向かう針状の凹みなど）が配備されていることにより、全反射を繰り返してきた光線は、ここで一部が乱反射を起こして漏出し、この一部の光線が線外に漏出する。乱反射しない残りの光線は２１０の開放端先端部まで伝送される。当該の一部漏出した光線はＰＤ線表面より放散されて、ＰＤ線治療では治療光線となり、患部などに照射されて治療効果を現す。また、ＰＤ線照明では照明の光源となる。さらに、ＰＤ殺菌除菌では殺菌ならびに除菌の光源となる。さらに、漏出させた光線は、温熱刺激や細胞の活性化などの様々な手段の実施例の光源と出来る構造です。（第七特徴）（第八特徴）（第十九特徴）（第二十特徴）
【０１６０】
つぎに、２１０の開放端先端に到達した光線は、１２７の針尖状先端より線外に出やすくなっているので、殆どの線内の光線は線外に放出される。当該放出光線も当然に殺菌や除菌や焼灼や温熱治療や細胞の活性化などに有効に働く。ここで、治療目的の焼灼や殺菌や温熱治療などに最適な光線が使用されることは記するまでもない。なお、ＰＤ伝送部２３０も内部に光線が通過しているのが目視出来るだろうと推察できる。また、当該のＰＤ線治療の全長は、人体の口より内臓をとおり出口に達する短い長さで充分に足ります。一度きりの使い切りである点も考慮すると、レーザー光線以外の光線を使用する治療では、折れにくく安価な材質の選択が必須です。（第十九特徴）
【０１６１】
つぎに、図１０の１のＰＤ線照明について
図９と殆ど似たような構造となっている。相違点は、２１０の開放先端は曲面になっている点、ならびに３６０と２３０が複数箇所に配備されている点、ならびに２２０のＰＤ伝送部に外表面には３７０の遮光被覆が施される点の３点です。該曲面は照明器具として用いるので所有者や多くの人がこの先端部に触れることを考え、怪我をさせない配慮です。該遮光被覆は、長い距離を引き回して建物や木々の電飾に用いることを考慮し、さらに、ＰＤ伝送部は線内を光線が通っていることも認識出来なくする目的です。また、この被覆により２３０のＰＤ放散部のみが光り輝いて見えるＰＤ線照明となっている。使用例は、少女戦士銀河ステッキ全体図にあるように、星形の部分の電飾で、星形の先端と谷の部分のみを輝かせる使い方をする。また、木々の電飾に用いられてきたＬＥＤ電飾のように放散部のみがキラキラ輝いて見える電飾が出来る。その他の利用応用例は無数に存在している。したがって、各種電飾で色調を変えたり光量を変えたりの調光制御と兼ね合わせると、原宿なみの電飾が気軽に家庭でも何処でも楽しめて世を明るくする効果も現れる。また、遮光被覆をしないでもしようが出来る。伝送部のファイバーの中を何らかの光線が伝送中であることが認識できて、これも１つの照明となる。（第十九特徴）
【０１６２】
つぎに、図１１の”ＰＤ線お楽しみ”  について
図１０のＰＤ線照明より遮光被覆を取り去り、ＰＤ放散部を増やしたものです。使用する例は、窓ガラスや壁などに一筆書きにより文字の形に貼り付け、不要と思う部分に遮光性のあるビーニールテープなどで目隠しを兼ねてＰＤ線お楽しみを貼り付け固定すれば七色に光るメッセージなどを作れる。文字だけでなく絵柄であっても良く、複数のＰＤ線お楽しみを用いて、絵を描いて、それぞれのＰＤ線毎に調光制御すると光のアートが出来る。平面のみでなく立体的に複数のＰＤ線お楽しみを貼り巡らせても楽しく綺麗な電飾が出来上がる。アミューズメントの夜のパレードなと最適です。また、遮光テープではなく透明なテープを使用して、貼り付けて固定する手段も遮光テープによる固定手段もＰＤ照明の１つの特徴である。さらに、衣類や緞帳などの生地には、縫い付ける手段やホチキス止めやボタンによる手段も可能であるＰＤ照明の１つの特徴でもある。女性陣でも気軽に取り付けて電飾を楽しめます。
【０１６３】
つぎに、図１２の各正面図および側面図（ハ）伝送ファイバーおよび伝送ファイバーコネクター概略図（ニ）ＰＤ線治療（ホ）ＰＤ線照明の図ですが、図９より図１１に記載の断面表示を正面図と側面図にしたものですので、図９より図１１の説明より当業者の知識で容易に理解出来るので説明は省略します。
【０１６４】
つぎに、図１３はガイドとなる注射針の正面図および平面図および側面図です。また、図１４は、ガイドとなる注射針のＦ−Ｆ断面図(イ）およびＧ−Ｇ断面図(ロ）です。すでに記述したＰＤ治療においてＰＤ線治療が細胞やポリープや皮下細胞の表面が堅くて細胞内部に刺し込むことが不可能な場合に、ＰＤ線治療の開放先端部（図９の針尖状先端１２７と開放端先端２１０）と開放先端部近傍（図９のＰＤ放散部２３０）をガイド針内に格納し、当該部位を細胞内にガイドするガイド針９を図示しました。材質は、金属製（レーザー光線は除く）ではステンレス材や特殊鋼など、あるいは口径が太くなるが石英ガラス製やＢＫ７製など、あるいは合成樹脂製（レーザー光線は除く）です。  紫外線では石英ガラスが不透過となる波長もあるようなので注意必須。（第七特徴）
【０１６５】
次に１２０の詳細説明です。ここで使用する符号１２０は前記述済みのガイド針９の中でも金属製を特定します。インターネットなどで公表されているインスリン注射針の各口径の大きさに附加されている番号を名称に用いました。また、使用する番数は、ＰＤ線治療の口径次第で自ずと番数が決定します。１２０の３０Ｇは中空の円筒状の針の形態を有し、複数の１２５の針放散孔と１２７の針尖状先端より構成されている。当該１２０の３０Ｇは７の１２７の先端が細胞やポリープや皮膚などの表層を刺し貫くことが難しい場合に、該７の１２７の先端と２３０の部位を１２０の内部に格納し、ガイドとなり表層を刺し貫き細胞の内部に７を導くものです。１２７の針尖状先端は図のように鋭いことが必須条件です。また、複数の１２５の針放散孔は２３０の放散部より７の線外に漏出した光線を当該ガイドの外部に出すことを目的とした孔です。光線が直接出る場合もあり、また、回折（光線の種類にによる）を起こして孔の回りに放散される。また、１２７の針尖状先端部位は開放になっているので先端より光線が放出される。本来なら、ガイドの口径を小さくしたいのですが、レーザー光線にも対応するガラス製のガイドは口径も太くなります。しかしながら、焼灼に最も適するレーザー光線に対応する特徴が優先されます。また、ガラス製の場合には、複数の針放散孔１２５は取り払っても取り払わなくても支障はない。（第七特徴）（第十二特徴）（第十三特徴）（第十五特徴）
【０１６６】
つぎに、図１４のガイドとなる注射針のＦ−Ｆ断面図(イ）およびＧ−Ｇ断面図(ロ）について、本図より３６０の凹みあるいは目荒しの配置位置と１２５の針放散孔の配置位置とは同一位置として図示しています。しかしながら、考えられる色々な配置位置を模索して、最も漏出した光線を最も患部に照射あるいは放散ができる配置位置関係を優先してよい。
血管を刺し貫く場合には、格納時に１２０の内面と７の外表面との隙間を塞ぐことは必須条件です。（第七特徴）
【０１６７】
つぎに、図１５のＰＤシート照明正面図および平面図および側面図（ヘ）およびジグザグ配置例の正面図（ト）について、
ＰＤ線照明やおたのしみを使用してシート状の照明源を作れないだろうかと考案したものです。一例として４本のＰＤ線照明を整然と並べて、合成樹脂製である６００の無色透明あるいは有色透明シートでパウチったものです。シートの有色とそれぞれのＰＤ線のオンオフと調光を組み合わせると派手でオシャレなカラフルシート照明源となります。また、３６０の位置をそれぞれずらして配置することも自由です。さらに、（ト）のジグザグ配置例の正面図に図示しているように１本のＰＤ線照明をジグザグや渦巻き状（不図示）に一筆書きのように配置しても良いです。応用例は無数と考えられます。一例として、玩具（図１６参照）やビニール傘（図１７参照）やランドセル（図１８参照）舞台やスクリーンの緞帳への応用や歌手の大型の舞台衣装に用いて恒例のお楽しみを創ることもできる。また、建物の壁の電飾や車の内外装に使用したり、デコトラの電飾など色々と当然使用出来ます。また、スマホや液晶や有機ＥＬなどのバックライト（改良を加えて）とすることも充分可能です。さらに、パチンコ台やスロット台の電飾にも最適です。また、照明以外にも紫外線を使用して、色々な場面の殺菌および除菌を行える環境は無数にあります。（応用例と特徴）
【０１６８】
さらに、
クリーンルームの内壁に貼り付けて紫外線による殺菌除菌も行えます。なお、室内に入室する人の紫外線対策は必須です。また、給食センターの内壁に貼り巡らして調理室全体の殺菌除菌を行えます。さらに、食品保管庫の内壁にも同様に使用して、保管中に食材の殺菌除菌を行う事も可能となります。さらに、一般家庭や業務用の冷蔵庫内面に貼り付けて庫内の食材などの殺菌除菌を行える（紫外線を嫌う食材や調味料もあると思いますので検討が必須です）。および洗濯機のドラム裏面に面する洗濯槽内面に貼り付けて洗濯水ならびにドラム裏側ならびに洗濯槽の殺菌および除菌にも利用できます。また、調理や食材の洗浄に用いる水道水も、一旦、専用の貯水タンクを設けて、タンク内面に貼り巡らして使用するタンク内の水の殺菌除菌を行う。など無数の利用法があります。また、医療関係では、手術室の内壁面に貼り付けて室内の無菌化や手術道具を入れておくトレーの内面に貼り付けて道具の殺菌除菌などです。ただ、紫外線の有する有害な副作用も当然加味しなければなりませんが、本発明者には医学的な知識がないので当業者の皆様の知識ならびに経験を加味願います。また、状況によりこのような提案自体が無効化することも充分に考えられます。（応用例と特徴）
【０１６９】
また、実施例とした図１６や図１７や図１８に図示したように、図１６のステッキでは、台座に当該シートを貼り付けて、カラフルで楽しいステッキとすることも出来る。また、図１７では傘布に用いてオシャレな傘にすることも、また、図１８のランドセルのカブセや襠や肩バンドに貼り付けたり縫い付けたりあるいはシートをそのままカブセや襠や肩バンドとすることも自由に出来る。また、小さな子供のカッパやポンチョの布地やアップリケとして利用し視認性を向上させて、雨天時や薄暗い時の注意喚起を行い交通事故の危険より子供達を回避させる効果は、絶大です。  光る子供が道を歩くので視認性も向上します。そのうえ、調光を各自設定することにより、子供の識別に使用出来て、商店街や路上の監視カメラに収まる子供が何方のお子であるのか容易に識別できるので防犯強化となります。同様に、交通誘導員や作業員の安全チョッキや交通標識などに利用してより視認性を向上させることも期待出来る。その他、看板類などです。ビニール傘への応用として、該シートを傘布として使用して、雨天や夜間の視認性を向上させて注意喚起を促す照明となる。他にも無数に考えられます。
【０１７０】
つぎに、図１６の少女戦士銀河ステッキ全体図（チ）およびＰＤシート配置図（リ）およびＰＤ線照明配置図（ヌ）について、
先ず、ＰＤシートやＰＤ線照明を貼り付ける台座を準備する。当該の台座は、本図のステッキでも、団扇でも彫刻でも平面状であっても立体的であっても何でも良いのです。電飾したい物の全て（液中や空中を含む）が対象です。また、ＰＤ殺菌除菌にＰＤシートやＰＤ線を用いる場合でも平面あるいは曲面あるいは立体的であっても何でも良いのです。さらに、台座の材質は無色透明でも有色透明でもあるいは不透明でもよい。しかしながら、表面の色は、ＰＤ線シートが発する色調がはっきりするように白色や反対色などです。また、ミラー加工を施した表面であればさらに良い。という構造に特徴を有している。  （特徴）
【０１７１】
このように、ＰＤ線やＰＤシートの配置出来る部位は
如何なる２次元３次元の面でも台座と出来るＰＤ照明やＰＤ殺菌除菌の構造を１つの特徴としている。
さらに、
水面や波面や水中や液中や空中に浮遊させても可能な構造を特徴としている。
さらに、
化学薬品などの液中にＰＤ線あるいはＰＤシートやＰＤフィルターを入れて、化学反応を速やかに進行させたり、化学反応の変異を起こさせたりも、光線の厳選で出来る可能性も秘めている様に推察しています。さらに、新薬品の進歩的な開発や発見にも寄与する可能性のＰＤ化学反応の構造に特徴を有している。ＰＤ化学反応は薬液に紫外線や赤外線や遠赤外線や場合によってはレーザーなど使用出来る光線は全て使用して、薬品に温熱刺激などの刺激を与えて反応を促進させる構造であったり、紫外線を用いて薬品の変化を期待する様な構造を示しています。(ＰＤ化学反応)（第五十特徴）
想像も出来ないような突然変異的な現象への期待と推側できる。  実地検証を行う環境がないので推測に過ぎません。化学の当業者の皆様の知識が必須です。
この薬品では、当然ながら、ＰＤ線やシートは耐薬品製の合成樹脂でも、光線の透過性が満たされれば種類は何でも可です。また、耐薬品性のあるガラス製などの方が最適と考えられます。  （第五十一特徴）（第五十二特徴）
【０１７２】
ここで、図１６に戻ります。図中のＰＤ放散部２３０はＰＤ線内よりの漏出光線が照明の光源となり特に光り輝いて見える部位です。３４０のＰＤ端子は、３３０のコネクターに接続される部位です。３７０の遮光被覆は、不要な光線を隠し固定するテープです。必要な光線と固定を兼ねる場合には無色あるいは有色透明なテープを用いて良いのです。  ７００は少女戦士銀河ステッキで、本発明の実施例とします。７１０より７１９は台座であり、ＰＤシートやＰＤ線を貼り付けたり固定する部位です。また、当該の台座はＰＤ線やＰＤシートを固定する部位であり平面に限らず立体的でも可能であり、棒状や糸状などの形態でも良いです。７５０より７５４は、台座に固定して電飾するＰＤ照明のシートでＰＤシートとします。７５６は、後述のランドセル用のシートです。８５０より８５４は本発明のＰＤ照明における”ＰＤ線おたのしみ”です。８５６は、後述のランドセル用ＰＤ線お楽しみで通学中文字を電飾するＰＤ線です。これらのＰＤ線やＰＤシートは、当然ながら調光回路により色調を変えたり光量を変えたり、あるいは点滅させたり断続的にオンオフを行ったりして賑やかで綺麗でカラフルな電飾となります。ただし、黒色は出来ないので、暗闇をご利用ください。  また、本実施例はほんの一例であり、ＰＤ線のみの電飾あるいはシートのみの電飾も可能であります。さらに、シート内にパウチされるＰＤ線を整然とするのではなく文字や絵柄を描いたＰＤ線としてパウチっても良いです。
【０１７３】
つぎに、（チ）および（リ）および（ヌ）の実施形態について、７１０には７５０のシートを貼り付け、その縁周りには８５０が取り付けられます。７１１には、７５０の小さなハートをくり抜いた７５１の大きなハートを取り付け、その縁周りには８５１が取り付けられます。同様に、７１２には７５２および８５２が、７１３には７５３および８５３が、７１４には７５４および８５４がそれぞれ取り付けられます。また、それぞれの３４０のＰＤ端子は不図示の調光回路に繋がる３２０の伝送ファイバーのコネクター３３０と接続された後に、シートおよびＰＤ線は調光制御されて綺麗でオシャレな女の子好みの電飾を施したステッキとなります。さらに、男の子用の剣や槍などには正義感の強い力強い電飾に調光制御された剣や槍となります。さらに、ライブやコンサートでのペンライトや団扇にも男性陣ならびに女性陣の好みに調光制御するだけで各種の電飾玩具となります。（第三十四特徴）
このように、
調光制御を変えるだけで、各種の玩具となる構造に特徴を有するＰＤ照明あるいはＰＤ装飾です。（特徴）
【０１７４】
ここで、調光制御の一例として、７５０および７１１の台座は女の子を現したハートですので優しくて、火が付くと激しい心情を表し、７５０は赤色やピンク色で断続的に光量ならびに色調を強弱調光するとともに、８５０は赤色であり、ＰＤ伝送部を光線が通過していることも見えた上に２３０の部位を連続的や断続的に輝かせて、最高潮では点滅フラッシュする。つぎに、７５１は白色から薄ピンクを基本とし、最高潮には七色となる。調光は色調や光量を断続的に変え、最高潮では連続的あるいは点滅フラッシュとなります。７１２の台座は地球を含む銀河を表し、白色あるいは薄緑色でシートを調光する。最高潮では七色に点滅フラッシュする。縁取りの８５２は頂点ならびに谷部の各点のみを白色に調光し、最高潮では高輝度の白色ならびに七色に点滅フラッシュする。つぎに台座７１３および７１４は前述の７１０および７１１に類似の調光をする。また、８５２の稜線の３７０の遮光被覆を取り払っても支障なく、好みによる。このように、女の子を題材としましたが、男の子用にも女性陣ならびに男性陣好みの調光して楽しい余暇を過ごせますように願ってます。ただし、フラッシュなど視覚的にあるいは精神的に強い刺激を受ける方々の使用は当然禁止します。
【０１７５】
つぎに、図１７のビニール傘について、
２０はビニール傘であり、３０のハンドルと４０の石突と５０の中軸と６０の傘骨と９０の傘布により構成されている。また、電飾は１のＰＤ線と８０のＬＥＤと１１０の調光回路により構成されている。２０に付いては日常生活でも使用しているので特に説明は省略します。つぎに、本発明の１のＰＤ線照明を使用した２０の電飾について実施例を記します。光源となる８０の三色のＬＥＤにより発光した可視光線は３１０の入光器により３２０の伝送ファイバーに入光されて、１のＰＤ端子とコネクターを半固定し、球面研磨などされた伝送ファイバー先端とＰＤ線先端が接触されてＰＤ線に伝達される。伝達された光線は、図９に記述した構造によりＰＤ線の開放先端にまで伝達される。２３０の放散部において漏出された光線を照明の光源として電飾に用いる。ＰＤ線は３０のハンドルと４０の石突と５０の中軸と６０の傘骨に配備されている。この配備以外には、部分的に配備される構造となっている。ＰＤ線を各部に固定する手段は、透明テープや接着剤などで固定される。また、遮光テープを使用しても支障はない。この電飾は、オシャレのみでなく、雨天時や夜間の視認性を向上させる目的であり、ＰＤ伝送部は遮光被覆を行わずに伝送部を光線が伝送されていることも目視できるようになっている。しかし、伝送部を遮光被覆しても当然支障はない。図中には、放散部２３０のみに５００の漏出した光線マークを図示している。（第三十特徴）
【０１７６】
つぎに、実施形態の記述にあるような調光回路により制御された８０のＬＥＤを構成する８０Ｒの赤色ＬＥＤと８０Ｇの緑色ＬＥＤと８０Ｂの青色ＬＥＤの各々を調光制御して、ＰＤ線において使用する色調や光量を有する光線を入光させる構造の特徴を有している。また、５００の部分のみを光らせたいときには、２２０のＰＤ伝送部を遮光テープなどで目隠ししても支障はない。このように、２０のビニール傘は電飾されて、各部が輝る。このことにより、傘を差す人の視認性も向上して、事故防止に役立つ効果とオシャレを楽しむ効果の双方が現れる。また、ＰＤシートを９０の傘布に使用して、文字や絵柄などを傘布に表示しても良い構造に特徴を有している。この９０を黄色に調光して、文字や絵柄を黄色に目立つ色で調光制御すれば、小さな子供を認識出来る上に、事故防止に役立ち、子供の安全を確保出来る。なお、調光回路はＯＳとしてＴＲＯＮ仕様などを使用しても良いです。さらに、実施の形態に記してあるように、回路は基板やラップワイヤーで結線される特徴がある。（第三十一特徴）
【０１７７】
つぎに、図１８はランドセルのカブセＰＤ装飾（ワ）およびランドセル用のＰＤシートの構造図（カ）です。８７０はランドセルであり、８８０のカブセと８８１の襠と８８２の肩バンドにより大まかに構成されている。全体の構造は説明する必要もないので省略します。先ず、ＰＤシートの構造図（カ）について、７５６のＰＤシート７５６ランドセル用は、７５７のＰＤシート台座と８５７のＰＤシート台座用ＰＤ線照明とＰＤ端子３４０と９１０の透明な固定テープをパウチする６００の無色透明あるいは有色透明シートにより構成されている。７５７のＰＤシート台座は、８５７などを貼り付けるシート状の台座です。柔軟性であっても堅くてもよいです。また、台座の表面の色は、８５７の発光色が映えるように白色や反対色となります。さらに、ミラー加工を表面に施しても良いです。８５７は７５６の照明源となる台座用ＰＤ線照明です。ＰＤ端子３４０は、伝送ファイバーのコネクターと半固定接続されるＰＤ端子です。９１０は、８５７を固定するテープです。６００は最終的に、７５７と合わせて全体をパウチする無色透明あるいは有色透明シートです。この７５６を（ワ）における７５７と８５７の代わりに使用しても良いです。
【０１７８】
つぎに、図１８のランドセルのカブセＰＤ装飾（ワ）について、
７５７のＰＤシート台座の表面は、ミラー加工を施した表面や、表面色が白色などの８５６および８５７の発光色が鮮やかに映える色であればよい。さらに合成樹脂製や皮革製や柔軟な金属や布地などでもより。つぎに、７５７のシート台座の表面に、最初に、８５７のＰＤシート台座用ＰＤ線照明を貼り付けて背景色を表すＰＤ線とする。７５７に固定するには、９１０の透明な固定テープを用いて行う。ここまでの７５７と８５７と９１０の代用として（カ）の７５６を使用してもよい。９１０により固定された８５７に上乗せで８５６のＰＤ線お楽しみ８５６通学中の文字を乗せて配置する。この８５６の固定にも９１０を用いる。ただし、３４０よりのＰＤ伝送部は、目隠しを兼ねて９００の遮光テープを用いる。全ての配備が済み次第６００の無色透明あるいは有色透明シートにてパウチして封入する。これで完成したランドセルのカブセＰＤ装飾をランドセルのカブセに縫い付けたり、接着したり、ボタンで取り付けるなどの貼り付ける作業を行い全てが完了する。また、カブセ以外に、８８１の襠と８８２の肩バンドにもサイズを合わせた装飾を貼り付けても良く、より視認性の向上が図れる。
【０１７９】
つぎに、ランドセルＰＤ装飾（通学中）の調光について、
８５６のＰＤ端子と８５７のＰＤ端子３４０のそれぞれは、光源に繋がる伝送ファイバーのコネクターと半固定接続されて球面研磨などの先端部の接触により光線をＰＤ線に伝達する。８５６の色調は赤色や輝度の高い白色などの視認性の良い色調であり、点滅やフラッシュなどを行っても良い構造です。８５７の背景色には８５６が明瞭になるよう色調であり、黄色や緑色となります。また、８５６の色調とは反対色でも当然よいです。これらの色調や光量の制御は、光源を制御する調光制御回路にて各種制御されて、ランドセルを背負う子供の視認性を向上させ、かつ、利用者が自由に設定する項目でカメラなどでの認識性も向上させる。このような効果を生み出すＰＤ装飾の構造に特徴を有するＰＤ装飾ならびにＰＤ照明です。（構造特徴）
【０１８０】
当該のＰＤ装飾の構造を応用して、看板やＰＤ道具やＰＤ玩具や緞帳や歌手の大型衣装などに電飾を行うことが出来る。（第三十三特徴）
【０１８１】
つぎに、小型ＰＤ除菌フィルターについて、
図１９は小型ＰＤ除菌フィルター正面図および平面図（ツ）ならびに断面図（ネ）を図示しています。
小型ＰＤ除菌フィルター３６０は、ＰＤ端子３４０と上枠９３１と下枠９３２とＰＤ線横９３３とＰＤ線縦９３４の各部位により構成されている。、ＰＤ端子３４０は、光源より光線を伝送してくる伝送ファイバーのコネクターと半固定されて、伝送ファイバーならびにＰＤ線の球面研磨など施されたそれぞれの先端が接することにより、ＰＤ線９３３ならびに９３４に光線を伝達する部位である。つぎに、上枠９３１と下枠９３２は９３３および９３４を固定する枠であり、搭載される製品群に対応するように図示の矩形以外であっても良い。より細長い矩形であったり、リング状や円筒状などである。
【０１８２】
つぎに、ＰＤ線横９３３とＰＤ線縦９３４は本発明や先行文献の特許文献１より８に記載ＰＤ線です。また、本発明のＰＤ線照明やＰＤ線お楽しみなどである。当然ながら、当該のＰＤ線にも不図示ですが凹みあるいは目荒し３６０が施されている。また、針状の凹みでも当然良い。当該の凹みにより、ＰＤ線に入光された光線は、ＰＤ伝送部２２０では線内を全反射により線外に漏出する事なく伝送されてくる。当該の凹みに達すると全反射であった光線が一部乱反射となり線外に漏出する。この一部漏出した光線５００は、フィルターを通過する９３５の液体や気体に対し光線が紫外線波長では殺菌や除菌および赤外線波長では加熱したりする光線となる。さらに、可視光線では照明源となる。  （特徴）
【０１８３】
さらに、
レーザー光線では、上下枠の溶着固着や固着と同時に９３３および９３４も固定することが出来る。このように、接着剤や溶着させる目的のＥＦ線（ＥＦ接合の場合）などを別途準備する事なく、フィルターを構成する部位のＰＤ線９３３および９３４は、枠同士の溶着固着と同時にＰＤ線自身の固定もおこなわれる製造法を手段として枠に固定される構造に特徴がある。  （第五十五特徴）
【０１８４】
このように、固定されるべきＰＤ線はレーザー光線やハロゲン光線を製造時に一時的に使用して枠の溶着固着を行う。枠の材質が合成樹脂などではＰＤ接合を手段とする。また、アルミなどではＰＤ溶接を手段とする。当該の接合手段は、ＰＤ線自身が該接合と同時に自己を固定する手段ともなっている。このような製造法をＰＤセルフ製造法とする。  （第五十六特徴）  （第五十七特徴）
【０１８５】
また、ＰＤセルフ製造法以外には、枠を金型などで製造し、ＰＤ線端子も個別に製造して、組み立てた後、接着材などで固定する手段となります。ガラス製の枠の場合には、炭酸ガスレーザーにて上下枠を溶着固定する手段もある。さらに、アルミ枠の場合もガラス枠同様にあり、レーザー光も炭酸ガス以外の光線でも手段と出来る。どちらでも、枠が合わさる面には少なくとも光線が入り込むだけの僅かな隙間を有することもあります。
【０１８６】
なお、ＰＤ線９３３および９３４は、図示の様に２本ではなく、１本のＰＤ線を一筆書きで縦横に配置することもあり、ＰＤ端子はＰＤ線の両端に配備し、ＰＤ線への光線を両端より入光させ、線内の光量を増加させる手段を講じる場合もある。また、図面の様に編み上げて強度を増して、通過する液体や気体の流れる圧力により切断されないような対策を施している。また、編み上げずに縦横を２段に重ねても良い。この場合には交差する部位を接着剤などで補強固定を施してもよい。さらに、より複数段を重ねたり、縦横以外に斜めの配置を加えても良い。さらに、複数本や複数段となる配備の仕方でも良く、フィルター全体の殺菌除菌や加熱する光線量を強化することも容易に可能である。  （特徴）
【０１８７】
なお、ＰＤ線９３３９および９３４は、レーザーを光線を使用してＰＤセルフ製造する場合には、石英ガラスやＢＫ７などのレーザーに反応しない材質なら何でも良い。  また、数キロの長距離を伝送する通信用ファイバーとは異なり、該ＰＤ線は数メートルより５０メートル程度の全長があれば良いので、この距離を各種光線を伝送できれば合成樹脂類の材質でも良いです。  （特徴）
【０１８８】
つぎに、大型ＰＤ除菌フィルターについて、
図２０は大型ＰＤ除菌フィルター正面図および平面図（ア）ならびに断面図（ウ）を図示してます。
９４０の大型ＰＤ除菌フィルターは、９４１のメッシュ（ステンレスなどの金属製ならびに合成樹脂製など）と９４２のＰＤ線により構成されている。本発明の大型ＰＤ除菌フィルターは、浄水場の大型の配水池や大型水路上やビルなどの大型空調ダクト内などに設置する除菌殺菌と加熱を目的とした発明です。内容的には小型フィルターと略同様ですが、通過する９４５の水道水ならびにエアーおよび水などの流速が速かったり、また、大流量であったりでフィルター自身に外力が加わるので、強度を確保出来る台座にＰＤ線を接着固定や結束バンドで強固に固定される構造をしている。
さらに、
大型ＰＤ除菌フィルターは、ＰＤ線を固定する台座としてステンレスなどの金属製とし、耐食性や高強度の性能によって、流れの強い水道水や大型エアーダクトなどに使用出来る構造に特徴を有している。  （第五十三特徴）
【０１８９】
さらに、
ガラス製のＰＤ線と融点が高い材質の台座を併用して、過熱蒸気や高温気体や高温液体の除菌や殺菌を可能とするＰＤフィルターの構造に特徴を有している。  （第五十四特徴）
また、台座自他もガラス製として、耐食性を強化して、薬品類の液中にも利用出来る構造である。  （特徴）
【０１９０】
また、配水池などへの設置には、本発明の大型ＰＤ除菌フィルターを数枚あるいは数十枚の複数を固定する架台が必要である。架台に複数枚設置したまま水路や池に水没させて設置する。このことにより、カルキなどによる殺菌と兼ね合わせてより安全性を向上させることが出来る。さらに、特に施設の改良も必要でなく設置できる大きさにフィルターを加工するだけで容易に設置が出来るので、安価な装置である。また、本図のメッシュを６枚組み上げて、カゴを作りカゴのまま水没あるいは薬液に浸潤させる手段もある。このカゴ状のフィルターは別の利用法として、カゴに中に除菌殺菌したい物を入れておく使い方も出来る。少し小さめにして、合成樹脂製の台座とし、腰部九入れや給食センターの食材に一時保管場所としての利用法もある。また、透明なタンクに入れた水などの保管場所にも利用出来、じしんや火災などの被災地において、屋外でも水や食料や衣類などを除菌殺菌しながら衛生的に良好に保管が出来る。ただし、紫外線は有害の点もあるので、長時間当該カゴの周りに立ち入ることを禁ずるか、覆いを被せておく必要と管理者が必須である。  （特徴）
【０１９１】
ここで、図示では１本のＰＤ線に１個のＰＤ端子が配備されているが、ＰＤ線の両端に配備してＰＤ線の両側より光線を入光させて除菌殺菌の光線量を増す手段もある。さらに、大型なので多くの複数本のＰＤ線を配備することも容易に行える構造となっている。（特徴）
【０１９２】
つぎに、ＰＤ水耕栽培について、
図２１は、ＰＤシート照明による水耕栽培の正面図および平面図を図示しています。図２２は、 水耕栽培断面図（エ）および断面図（オ）ならびに栽培室内照明（カ）を図示しています。図２３は、 水耕栽培室および栽培槽の全体照明を図示しています。この３枚の図面を合わせて説明します。９５０は水耕栽培する野菜です。９５１はＰＤシートです。９５２はＰＤ線です。９５３は栽培槽です。９５４は槽蓋です。９５５は栽培水です。９５６は養分です。９５７は室内用ＰＤシートです。９５８は栽培室です。９５９は槽用ＰＤシートです。３４０はＰＤ端子です。５００は漏出した光線です。つぎに、各部の説明を期します。９５０は、ＰＤ水耕栽培で育成される野菜類であってリーフレタスやパセリやパクチーやベビーリーフ類などやミニトマトや柑橘類であることに特徴を有する。  （第六十六特徴）
【０１９３】
また、９５１はＰＤシートであり、９５２はＰＤ線となります。この９５１および９５２がＰＤ水耕栽培での、ＰＤ線やＰＤシートを室内照明源とする構造に特徴を有している。さらに、また、ＰＤ水耕栽培において、ＰＤシートならびにＰＤ線を栽培光の照明源とするＰＤ水耕栽培の構造に特徴を有している。また、９５３は栽培槽であり、９５４はこの槽蓋です。９５５は栽培水で９５６の養分である窒素およびリンおよびカリウムなどを混入させて、９５３内をながれて、各９５０に届けられて野菜類は根を延ばして当該の９５５を吸い上げて、室内の二酸化炭素と９５１および９５７および９５９より漏出した栽培光とで光合成をして成長していく。９５７は室内用ＰＤシートで９５８の栽培室の壁面などに貼り、栽培光としている。さらに９５９は槽用ＰＤシートであり、９５３の栽培槽の外表面に貼り付けて栽培光としている。また、３４０はＰＤ端子であり、光源よりの伝送ファイバーのコネクターと半固定されて、でんそうふぁいばーよりＰＤシートを構成するＰＤ線に光線を伝達する。５００は漏出した光線を分かり易く表記しました。このようにＰＤ水耕栽培室の内壁面や天井や床の室内壁外表面にＰＤシートを配備して、栽培室内の栽培光が野菜の全方位より照射する構造に特徴を有している。また、多数の棚に栽培槽を並べる場合に、上段の栽培槽が下段の栽培野菜に照射される栽培光を遮ることがないように、上段や横の栽培槽の外表面にＰＤシートを配備するＰＤ水耕栽培の構造に特徴を有している。  （第六十特徴）（第六十一特徴）（第六十二特徴）（第六十五特徴）
【０１９４】
ここで、ＰＤ水耕栽培の光源は、可視光線の波長域であって、光合成を促す赤色光および葉や実を育てる青色光を発光するＬＥＤや同等の発光手段である。当該の赤色光と青色光をＰＤ線に入光させて、全反射を繰り返して線内を伝達される間に、凹みなどにより乱反射を起こして、ＰＤ線外に一部が漏出され、漏出された赤色光と青色光を栽培野菜などに照射して光合成を促して育成する構造に特徴を有している。さらに、照明源となるＬＥＤは、少なくとも波長が６６０ｎｍの赤色ならびに波長が４４０ｎｍの青色を発光するＬＥＤであるＰＤ水耕栽培の構造に特徴を有する形態をしている。  なお、当該波長以外の波長域を含んでも良い。（第六十三特徴）（第六十四特徴）
【０１９５】
つぎに、ＰＤバックライトについて、
図２４は、有機ＥＬ用ＰＤバックライト正面図および平面図（キ）ならびに断面図（ク）の図です。また、図２５はＰＤバックライト断面図（コ）および断面（サ）および断面（シ）を図示しています。図中の３４０はＰＤ端子で伝送ファイバーと接続されてＰＤ線に光線を伝達する部位です。９６０は本発明のＰＤバックライトです。ＰＤバックライト９６０は、９６１のＰＤ線と９６２の充填材と９６３のミラー加工と９６４の凹みと９６７のバックライト枠と９６８の表層と９６９の底板により構成されている。ＰＤバックライトは、ＰＤ端子とＰＤ線とバックライト枠と表層と底板を少なくとも各々１つ以上配備され、各部位により構成される構造に特徴を有している。  （第六十七特徴）
【０１９６】
また、９６１のＰＤ線は、ＰＤ端子において伝送ファイバーより伝達されて、ＰＤ線に入光された光線を線内を全反射を繰り返して末端まで伝達する石英ガラスやＢＫ７などのガラス製や合成樹脂製のファイバーである。ＰＤ照明で記述のＰＤ線お楽しみの形態をしていて、２２０のＰＤ伝送部では全反射を繰り返して伝達され、３６０の凹みあるいは目荒しが途中に配備されている２３０のＰＤ放散部にて、針状の凹みなどにより全反射を繰り返してきた光線の一部が線外へ漏出されて、該漏出光線がＰＤバックライトの照明源となっている。図ではＰＤ端子１個に接続された１本のＰＤ線が図示されているが、一対のＰＤ端子間を繋ぐ１本のＰＤ線でも良い。さらに、同様の組み合わせを複数配備されることもあります。ＰＤ端子が両端に繋がるＰＤ線では線の両端より光線が入光されるので線内の光線量も当然増加する構造にある。  （特徴）
【０１９７】
また、９６２の充填材は、石英ガラスやＢＫ７などのガラス製や可視光線の透過性の良い合成樹脂製ならびにその他の材質製であり、不特定な形状であるので、通信用などのファイバー屑などを破砕し洗浄した材料や可視光線の透過性の良い材料なら何でも可能であり同様に破砕洗浄された材料なら良い構造に特徴を有している。さらに、照明源とするＰＤ線だけでは表層の全面において単位面積当たりの光量にバラツキがありすぎる場合に、さらに、ＰＤ線周囲の空隙に不特定形状の充填材を詰めバックライト内部でＰＤ線より漏出した光線を乱反射させて、乱反射した光線はあらゆる方向で表層の表面より放散され、ＰＤバックライト表面全面が略均一の光線量なる構造に特徴を有している。  （第六十八特徴）  （第六十九特徴）
【０１９８】
また、９６３のミラー加工と９６４の凹みと９６７のバックライト枠と９６８の表層と９６９の底板においては、底板のＰＤ線側側表面には鏡面処理を施して、ＰＤ線より漏出した光線で底板方向に向いた光線を表層方向に全て反射して漏出した光線を全て照明源とする構造に特徴を有している。さらに、バックライト枠の内面にはミラー加工を施した構造に特徴を有する形態をしている。さらに、バックライト枠は、金属製や合成樹脂製などであり、準備された幅の小さな板を折り曲げて製造される金属製では、準備された板の両端は、ＰＤ端子を挟み込み固定するようにＰＤ端子付近で接する構造と合成樹脂製では金型により一体成型された枠はＰＤ端子のところでＰＤ端子を組み込むために押し広げれる構造に特徴を有する形態をしている。さらに、表層のＰＤ線側の裏側には針状などの凹みを配備して、バックライト内部より外部に出る光線の進行方向をあらゆる方向に向くようにして表層全面において略均一な光線分布とした構造に特徴を有している。  （第七十特徴）（第七十一特徴）（第七十二特徴）（第七十三特徴）
【０１９９】
また、バックライトの調光は、ＰＤ照明同様で、基板上に回路を形成したり、ラップワイヤーで結線された回路の調光回路により制御されて、ＯＳは国産のＴＲＯＮ仕様でも当然良い構造に特徴を有している。さらに、当該ＰＤバックライトを搭載する製品群には、有機ＥＬや液晶のディスプレイなどのテレビやスマホや腕時計や掛け時計や看板類や玩具や車載メーターや車載用品や車載電飾や信号機や案内板や交通標識や道路標識などに応用出来る構造に特徴を有している。さらに、そのまま照明器具として用いて、懐中電灯およびランタンなどの照明器具や観賞魚水槽照明や水族館水槽照明などのバックライトならびにＰＤバックライトを照明源とできる日常生活品および工業製品ならびにストップランプやウインカーやバックランプ類の車載ランプ類に搭載出来る構造に特徴を有している。さらに、ＰＤバックライトを搭載する有機ＥＬならびの液晶ディスプレイは、タッチパネル機能を有する構造に特徴を有する形態をしている。
（第七十四特徴）（第七十五特徴）（第七十六特徴）（第七十七特徴）
【０２００】
つぎに、ＰＤ信号機（矩形）について、
図２６は、ＰＤ信号機（矩形）正面図および平面図および側面図（ス）ならびＴ−Ｔ断面図（セ）を図示している。
今回は概ねについての説明であります。より詳細ならびに周辺装置や周辺回路などやＰＤ交通管制については、続編に続きます。本発明のＰＤ信号機（矩形）は、矩形状の信号機で歩行者用などに利用出来る上に、車両規制にも使えます。従来の様に丸形にすることも枠の形状だけを変えれば容易に出来るので今回は省略します。
【０２０１】
さて、本発明のＰＤ信号機は、ＰＤ接合とＰＤ溶接とＰＤバックライトとＰＤ照明とＰＤフィルターを応用した信号機であります。まず、一対のＰＤ端子と端子間を接続する１本のＰＤ線を信号機の照明光源としています。また、それぞれの端子間に接続される２本や３本などの複数本数のＰＤ線を２段や３段などの複数段に重ねても良く、また、１つの端子に繋がる１本のＰＤ線を複数本使用しても良く、信号機の総光量を増やせてより視認し易い信号機ならびに複数本数のＰＤ線を配備出来るので、新たな信号機の提案もし易い構造に特徴を有している。  （第七十八特徴）
【０２０２】
さらに、当該ＰＤ信号機のＰＤ線に入光される光線は可視光線であります。色は従来の車両規制信号機同様に赤色ならびに緑色（青色）ならびに黄色の３色を基本とします。歩行者用においても同様であります。しかしながら、よりカラフルに認識し易い色が、信号機の法的仕様に認可されれば調光制御により容易に対処可能です。  （第七十九特徴）
【０２０３】
また、枠の材質は、アルミ製や合成樹脂製や耐候性に優れたガラス製などである。ＰＤ線は、石英ガラスやＢＫ７や透明な低密度ポリエチレンなどの合成樹脂製などです。  （第八十特徴）（第五十八特徴）
また、合成樹脂製の枠固定ならびにＰＤ線の固定は、枠とＰＤ線を組み立てると同時に接着材などで固定する方法と枠内に埋め込まれるＰＤ線の部位に針状の凹みなどを施し、ＰＤ線に一時的にレーザー光線やハロゲン光線を入光させるＰＤ接合により枠同士を融着固定すると同時にＰＤ線も固定される構造に特徴を有している。  （第八十一特徴）
さらに、枠の材質がアルミの時には、枠とＰＤ線を組み立てた後に、枠内に埋め込まれるＰＤ線の部位に針状の凹みなどを施したＰＤ線にレーザー光線を入光させて、アルミ製の枠を溶接するＰＤ溶接により枠を固定すると同時に、ＰＤ線も同時に固定される構造に特徴を有している。  （第八十二特徴）
【０２０４】
このように本発明の２つの製造法では、特許文献１より８までに記載のＰＤ接合のためにだけ準備するＰＤ線ならびに先行文献中に記載したＰＤ溶接のためにだけ準備するＰＤ線は特に必要ではなく、本発明のＰＤ信号機の構成要素の一つであるＰＤ線を代用し、信号機に入光する可視光線の代わりに、レーザー光線やハロゲン光線を製造時のみにおいて一時的に用いて、ＰＤ接合やＰＤ溶接を行って枠ならびにＰＤ線の固定固着を行う構造に特徴を有している。  （第八十三特徴）
このような製造上における構造的な形態は、ＰＤ信号機を構成する自己のＰＤ線をそのまま用いて、枠の固着やＰＤ線の固定を行い自己を製造する。要するに、自己を用いて自己を製造するＰＤセルフ製造法である構造に特徴を有している。  （第八十四特徴）
【０２０５】
また、従来のＬＥＤ信号機では、ＬＥＤのを搭載する基板のエッチングや半田付けや洗浄などが行われていたが、本発明のＰＤ信号機においては、エッチングなどで使用される薬品も不必要であり、洗浄も半田付けの工程も不必要な構造に特徴を有している。  （第八十五特徴）
また、ＰＤ線はＰＤバックライトの実施例にあるように機織りのように編み込んで縦横に配備（図示）しても、ＰＤ線自体にはフィルターのように流体が通過することもないので、横線を一つの面上に配備し、縦線も一つの面上に配備し、それぞれを２段に配備（不図示）しても良い構造に特徴を有している。  （第八十六特徴）  
さらに、枠の裏側（信号機裏側）には底板が配備され、その内部側表面にはミラー加工が施されて、底板方向に向いた光軸を表層側に反射して、ＰＤ線より漏出光線を有効利用する構造に特徴を有している。  （第八十七特徴）
【０２０６】
また、表層の内部側に配備した針先状などの凹みは、信号機内部より信号機表に出る光線を乱反射して全方位方向に光を放散させて、信号機全面が均一な明るさとする目的で配備されている。ＰＤ線のみの配備では、ＰＤ線が配置されている部分と配備されていないところとでは不均一な光線量となり明るい所と暗い所が信号機全面に現れると推察出来るのでその対処法です。このような問題が発生しないときには凹みを配備しなくてもよい。  （第八十八特徴）
【０２０７】
さらに、当該対処法を施しても、信号機の全面において均一な明るさが得られない場合の２つ目の対処法として、信号機枠と底板と表層に囲まれた空間のＰＤ線周囲に不特定な形状であり、光線に乱反射を誘因して全方位方向に光線を放散させる目的で充填材を充填する対処法を施す。この充填材は、光の透過性が良い透明なガラス類であり、通信用の光ファイバーの廃棄品や製造時に発生する不要屑などやリサイクルされたガラスを破砕した後に、綺麗に洗浄して充填材とする。当然ながら、光線の透過性能が良い材料の合成樹脂屑などでも当然良くて、その上、ガラスや合成樹脂のリサイクル促進の出来る構造に特徴を有している。  （第八十九特徴）
【０２０８】
また、信号機表面には、太陽光などの外交の写り込みが起きないように、ノングレア処理を施す構造に特徴を有している。  （第九十特徴）
また、ＰＤ端子は伝送ファイバーの先端に配備されたコネクターと半固定されて、コネクターならびにＰＤ端子の球面研磨などが施された伝送ファイバー先端とＰＤ線先端を接触させて光線の伝達を行う部位である構造に特徴を有している。  （第九十一特徴）
また、本発明のＰＤ信号機の周辺には、調光を制御する調光回路や無線通信回路や信号機管制システムや蓄電装置および電源回路を搭載する構造に特徴を有している。  （第九十二特徴）
【０２０９】
ここで、
ＰＤ線内を全反射を繰り返して伝送されてくる光線の一部を、ＰＤ線上に連珠状の部位を配備して、乱反射あるいは反射の少ない外部に直接放出する構造に特徴を有する連珠状ＰＤ線の構造についても提案をおこなった。
当該連珠状ＰＤ線をＰＤ線の代表的な特徴として、本シリーズ全てに適応させて、シリーズ全ての刷新ならびに進歩的な新規な発明に全て変えた、ＰＤ信号機ならびにＰＤ交通管制ならびにＰＤ車載製品群の全てならびにＰＤ通信装置の一群全てならびにＰＤセルフ製造法ならびにＰＤ接合ならびにスポットＰＤ接合ならびにＰＤ治療ならびにＰＤ化学反応ならびにＰＤ照明ならびにＰＤバックライトならびにＰＤ信号機ならびにＰＤ電飾ならびにＰＤシートならびにＰＤ線ならびにＰＤフィルターならびにＰＤ除菌殺菌ならびにＰＤ食材の除菌殺菌ならびに血液の除菌殺菌ならびにＰＤ玩具ならびにＰＤ道具その他のＰＤせんをと各種光線の組み合わせで創出できる全ての製品群および創出される技術的手段およびその構造の全てと全ての構造に適応させます。
さらに、
当該連珠状ＰＤ線をＰＤ線の代表的な特徴として、本シリーズ全てに適応させて、シリーズ全ての請求項に記載あるいはいずれかに記載の全ての構造と応用製品群に適応させます。
【産業上の利用可能性】
【０２１０】
本発明で使用た各種光線の中で、特に注意が必要な点は、紫外線の扱いです。とても有効な光線である事実と、とても危険な光線であることも事実であります。人体への悪影響として、皮膚に火傷や皮膚癌などを引き起こす実例もインターネット上で見受けられます。本発明の応用をされる場合には、医療関係者の知識を必ず加味される事を願います。と云うより第一の前提であります。技術屋の本発明者の観点では、とても鋭い切れ味のものであるので、尊き人命を守ることに使える。と思います。曽孫や玄孫の喜ぶ顔を見て幸福を感じられるように健やかにお過ごしください。
【０２１１】
従来技術の医療現場で、新たな治療機器となる可能性を秘めている。また、例えば脱毛機器への応用が出来るのではと推察できる。さらに、毛根を刺激できる可能性を持っているので、刺激して発毛の活性化を図れるのではと推察できる。ただ、光線は温熱効果のある光線が有効ではと推察できる。同様に、光線の選択次第で針や灸に代わる機器の創出が出来るのではと推察できる。
【０２１２】
さらに、目荒しや針状の凹みによる乱反射を誘因する手段以外に、新たな手段の提案により漏出光線を産み出せるので、より多くの新技術や新製品群の創出ならびに新規な技術（特にＰＤ化学反応やＰＤ治療など）の創出を促し、健やかに過ごせる上に難病者の症状を軽減させる仁を実行する。
【０２１３】
さらに、ＰＤ照明は、玩具や車載製品などヘの応用は多岐に渡る可能性があり、七色に光る各種製品群を創出し、明るく楽しい世を創ることが出来る。さらに、従来の内視鏡などに用いて、外装の一部として配備できるので、従来のＬＥＤに代わり、装置や機器の小型化が行える。
【０２１４】
また、多方面の分野へ分岐して応用範囲を拡げる。例えば、土木業ならびに建設業ならびに各種のライフラインならびに農業分野あるいは水産業全体あるいは食産業などです。
【０２１５】
さらに、当該発明者の提案である中空鋼板を用いたトンネル内壁に組み込めるトンネル用ＰＤ照明（予定１）に応用して、新しいトンネルの構造を提案できる応用となる。
【０２１６】
さらに、ＰＤ線の口径は１００ミクロンから５００ミクロンと細いので、従来の発光ＬＥＤより小型で、例えば透明無色あるいは透明有色な合成樹脂製のシートの中に配備することも自由に出来るので、シート状の照明器材ともなり得る。ので、光るポスターや光る宣伝看板などと限りない産業上の利用応用できるＰＤ照明である。当業者の皆様の知識創造で無数の実施例を創造し、未来の子供達が世界に躍り出て、パソコン事業や半導体事業にも進出できる礎を築いて戴き希望致します。合わせてＯＳについてもご支援頂き、１つの国産路線の構築にご助力を頂きたく思います。
【０２１７】
以上の推察や予定を鑑みると、調光回路のＯＳであるＴＲＯＮ仕様は、パソコン分野に頼ること無く、国産の製造機あるいは玩具や車載製品へと応用の範囲を拡げて、輸出車や輸出玩具や医療機器や家電などと広範囲に充分応用が出来る.
【符号の説明】
【０２１８】
１      ＰＤ線（照明）
２      本体
３      カメラ
３−１    カメラ配備孔
５      ハサミやピンセット
５−１    ハサミやピンセット配備孔
７      ＰＤ線(治療)
７−１    ＰＤ線配備孔
９      ガイド針
９−１    ガイド針配備孔
１０    カテーテル
２０    ビニール傘
３０    ハンドル
４０    石突
５０    中軸
６０    傘骨
８０    ＬＥＤ
８０Ｒ  赤色ＬＥＤ
８０Ｇ  緑色ＬＥＤ
８０Ｂ  青色ＬＥＤ
９０    傘布
１１０  調光回路
１２０  ３０Ｇ（から３４Ｇ）  （材質が金属製のみ）
１２５  針放散孔
１２７  針尖状先端
１５０  血管
１５１  血流
１５５  歯
１５６  歯肉
１６０  口内、耳穴、鼻内、胃、内臓内
１６５  ポリープ、内臓細胞
１７０  皮膚
１７２  皮下細胞
１８０  内臓壁
１８２  内臓細胞  
２００   端子側先端
２１０   開放端先端
２２０   ＰＤ伝送部
２３０   ＰＤ放散部
２４０  ＰＤ伝送部遮光被覆
３００  光源    
３１０  入光器
３２０  伝送ファイバー
３２５  爪
３２６  溝
３３０  コネクター
３４０  ＰＤ端子
３５０  球面研磨など
３６０  凹みあるいは目荒し
３７０  遮光被覆
５００  漏出した光線
６００  無色透明あるいは有色透明シート
７００  少女戦士銀河ステッキ
７１０  台座７１０
７１１  台座７１１
７１２  台座７１２
７１３  台座７１３
７１４  台座７１４
７１９  台座７１９
７５０  ＰＤシート７５０
７５１  ＰＤシート７５１
７５２  ＰＤシート７５２
７５３  ＰＤシート７５３
７５４  ＰＤシート７５４
７５６  ＰＤシート７５６  ランドセル用
７５７  ＰＤシート台座
８５０  ＰＤ線おたのしみ８５０
８５１  ＰＤ線おたのしみ８５１
８５２  ＰＤ線照明８５２
８５３  ＰＤ線おたのしみ８５３
８５４  ＰＤ線おたのしみ８５４
８５６  ＰＤ線お楽しみ８５６  通学中文字
８７０  ランドセル
８８０  カブセ
８８１  襠
８８２  肩バンド
８５６  ＰＤ線お楽しみ８５６  通学中文字
８５７  ＰＤシート台座用ＰＤ線照明
９００  遮光テープ
９１０  透明な固定テープ
９３０  小型ＰＤ除菌エアーフィルター
９３１  上枠
９３２  下枠
９３３  ＰＤ線横
９３４  ＰＤ線縦
９３５  エアーおよび水など
９３６  ＰＤ線併用
９３７  矩形信号機
９４０  大型ＰＤ除菌フィルター
９４１  メッシュ（ステンレスなどの金属製ならびに合成樹脂製など）
９４２  ＰＤ線
９４５  水道水ならびにエアーおよび水など
９５０  野菜
９５１  ＰＤシート
９５２  ＰＤ線
９５３  栽培槽
９５４  槽蓋
９５５  栽培水
９５６  養分
９５７  室内用ＰＤシート
９５８  栽培室
９５９  槽用ＰＤシート
９６０  ＰＤバックライト
９６１  ＰＤ線
９６２  充填材
９６３  ミラー加工
９６４  凹み
９６７  バックライト枠
９６８  表層
９６９  底板
【図１】
2020000314.tif 000003
【図２】
2020000314.tif 000004
【図３】
2020000314.tif 000005
【図４】
2020000314.tif 000006
【図５】
2020000314.tif 000007
【図６】
2020000314.tif 000008
【図７】
2020000314.tif 000009
【図８】
2020000314.tif 000010
【図９】
2020000314.tif 000011
【図１０】
2020000314.tif 000012
【図１１】
2020000314.tif 000013
【図１２】
2020000314.tif 000014
【図１３】
2020000314.tif 000015
【図１４】
2020000314.tif 000016
【図１５】
2020000314.tif 000017
【図１６】
2020000314.tif 000018
【図１７】
2020000314.tif 000019
【図１８】
2020000314.tif 000020
【図１９】
2020000314.tif 000021
【図２０】
2020000314.tif 000022
【図２１】
2020000314.tif 000023
【図２２】
2020000314.tif 000024
【図２３】
2020000314.tif 000025
【図２４】
2020000314.tif 000026
【図２５】
2020000314.tif 000027
【図２６】
2020000314.tif 000028